(57)【特許請求の範囲】
【請求項１】
屋根瓦に取り付けられた連結金具に取り付ける太陽電池モジュールであって、
略長方形状の板状を呈し、太陽電池を有するモジュール本体と、
モジュール本体の外周に設けられ一対の長辺部と一対の短辺部とで枠状に形成されたフレームで、長辺部及び短辺部に設けられ、モジュール本体を支持する支持部と、長辺部に設けられ、連結金具に係止する金具係止部とを有するフレームと、
を有し、
長辺部における支持部が、モジュール本体の底面に沿って設けられた略板状の支持部本体と、支持部本体の外側の端部から連設されモジュール本体の側面に沿って設けられた側面部と、側面部から連設され、支持部本体と略平行に設けられモジュールの上面に沿って設けられた上面部とを有し、モジュール本体の外周側の端部が支持部本体と側面部と上面部とで囲まれた空間に支持され、
金具係止部が、支持部本体の底面から下方に突出して形成され、連結金具に係止するための爪部が金具係止部の内側に突出して形成され、
長辺部において、金具係止部におけるモジュール本体の底面に沿った方向である横方向における外側の端部が、支持部における側面部の外側の面よりも横方向に内側に位置していて、支持部の外側の端部側部分における下方で金具係止部の外側に空間が形成されていることを特徴とする太陽電池モジュール。
【請求項２】
略長方形状の板状を呈し、太陽電池を有するモジュール本体と、モジュール本体の外周に設けられ一対の長辺部と一対の短辺部とで枠状に形成されたフレームで、長辺部及び短辺部に設けられ、モジュール本体を支持する支持部と、長辺部に設けられ、連結金具に係止する金具係止部とを有するフレームと、を有し、長辺部における支持部が、モジュール本体の底面に沿って設けられた略板状の支持部本体と、支持部本体の外側の端部から連設されモジュール本体の側面に沿って設けられた側面部と、側面部から連設され、支持部本体と略平行に設けられモジュールの上面に沿って設けられた上面部とを有し、モジュール本体の外周側の端部が支持部本体と側面部と上面部とで囲まれた空間に支持され、金具係止部が、支持部本体の底面から下方に突出して形成され、連結金具に係止するための爪部が金具係止部の内側に突出して形成され、長辺部において、金具係止部におけるモジュール本体の底面に沿った方向である横方向における外側の端部が、支持部における側面部の外側の面よりも横方向に内側に位置していて、支持部の外側の端部側部分における下方で金具係止部の外側に空間が形成されている太陽電池モジュールを支持し、屋根瓦に取り付ける太陽電池モジュール設置用連結金具であって、
略長方形の外形を有する底板部で、屋根瓦に係止するための開口部を有する底板部と、底板部に設けられた弾性部で、屋根瓦と嵌合するための嵌合部を備えた弾性部とを有する底面部と、
底板部の一対の長辺部から立設した長辺側側壁部と、
底板部の一対の短辺部から立設した短辺側側壁部で、太陽電池モジュールの爪部と係合するための係止部が外側に突出して設けられた短辺側側壁部と、
を有し、
短辺側側壁部の縦方向の長さが、太陽電池モジュールを金具係止部の爪部により連結金具に取り付けた状態において、短辺側側壁部の下端が金具係止部の下端よりも下方となる長さに形成されていて、金具係止部の下方で短辺側側壁部の外側に空間が形成されていることを特徴とする太陽電池モジュール設置用連結金具。
【請求項３】
長辺側側壁部は、底面部の長辺部から立設し、一方の短辺側側壁部側に縦方向に形成された辺部である縦方向辺部を有する切欠部で、太陽電池モジュールを取り外すため治具を配置するための切欠部である治具配置用切欠部が形成された側板部を有することを特徴とする請求項２に記載の太陽電池モジュール設置用連結金具。
【請求項４】
長辺側側板部が、側板部の上辺から外側に連設された帯板部と、帯板部の該一方の短辺側側壁部側の端部から連設され、該一方の短辺側側壁部側に向けて下方に傾斜し、治具配置用切欠部の側方に形成された傾斜板部で、太陽電池モジュールを取り外すための治具を治具配置用切欠部に案内するための傾斜板部とを有することを特徴とする請求項３に記載の太陽電池モジュール設置用連結金具。
【請求項５】
請求項３又は請求項４に記載の太陽電池モジュール設置用連結金具と、該連結金具に取り付けられた太陽電池モジュールを取り外すための治具とを有する太陽電池モジュール設置用連結金具セットであって、
治具が、把手部と把手部の先端に設けられた板状の先端部とを有し、先端部が、把持部から連設された基端部と、基端部の側方から間隔を介して突出した一対の突状部で、先端側に設けられた第１突状部と、基端側に設けられた第２突状部とを有し、第１突状部の内側の辺部と基端部における第１突状部と第２突状部間の辺部と第２突状部の内側の辺部とで囲まれた切欠部である治具切欠部と、第２突状部の先端で内側の辺部の先端位置に角部とが形成され、第１突状部を治具配置用切欠部に配置し、第１突状部の内側の辺部を縦方向辺部に当接させた状態で、第２突状部における角部が短辺側側壁部に当接することを特徴とする太陽電池モジュール設置用連結金具セット。
【請求項６】
太陽電池を屋根面へ取り付けるための太陽電池取付け構造体であって、
屋根瓦に取り付けられ太陽電池モジュールを支持する連結金具と、連結金具に取り付けられる太陽電池モジュールとを有し、
太陽電池モジュールは、
略長方形状の板状を呈し、太陽電池を有するモジュール本体と、
モジュール本体の外周に設けられ一対の長辺部と一対の短辺部とで枠状に形成されたフレームで、長辺部及び短辺部に設けられ、モジュール本体を支持する支持部と、長辺部に設けられ、連結金具に係止する金具係止部とを有するフレームと、
を有し、
長辺部における支持部が、モジュール本体の底面に沿って設けられた略板状の支持部本体と、支持部本体の外側の端部から連設されモジュール本体の側面に沿って設けられた側面部と、側面部から連設され、支持部本体と略平行に設けられモジュールの上面に沿って設けられた上面部とを有し、モジュール本体の外周側の端部が支持部本体と側面部と上面部とで囲まれた空間に支持され、
金具係止部が、支持部本体の底面から下方に突出して形成され、連結金具に係止するための爪部が金具係止部の内側に突出して形成され、
長辺部において、金具係止部におけるモジュール本体の底面に沿った方向である横方向における外側の端部が、支持部における側面部の外側の面よりも横方向に内側に位置していて、支持部の外側の端部側部分における下方で金具係止部の外側に空間が形成されており、
連結金具は、
略長方形の外形を有する底板部で、屋根瓦に係止するための開口部を有する底板部と、底板部に設けられた弾性部で、屋根瓦と嵌合するための嵌合部を備えた弾性部とを有する底面部と、
底板部の一対の長辺部から立設した長辺側側壁部と、
底板部の一対の短辺部から立設した短辺側側壁部で、太陽電池モジュールの爪部と係合するための係止部が外側に突出して設けられた短辺側側壁部と、
を有し、
短辺側側壁部の縦方向の長さが、太陽電池モジュールを金具係止部の爪部により連結金具に取り付けた状態において、短辺側側壁部の下端が金具係止部の下端よりも下方となる長さに形成されていて、金具係止部の下方で短辺側側壁部の外側に空間が形成されていることを特徴とする太陽電池取付け構造体。
【請求項７】
太陽電池取付け構造体が、連結金具を取り付けるための屋根瓦を有し、
屋根瓦は、
その上面に連結金具の底板部に設けられた開口部に係止する係止突起と、
連結金具の弾性部に設けられた嵌合部が嵌合する嵌合凹部と、
を有し、
流れ方向に隣接する屋根瓦のそれぞれに連結金具が取り付けられ、軒側の連結金具を第１連結金具とし、棟側の連結金具を第２連結金具とし、第２連結金具に太陽電池モジュールが取り付けられ、第２連結金具に取り付けられた太陽電池モジュールを棟側太陽電池モジュールとした状態において、長辺側側壁部側から見た側面視において、棟側太陽電池モジュールの金具係止部の外側の下端から第１連結金具における第２連結金具側の短辺側側壁部までの最短距離をなす直線である第１直線の長さが、フレームの厚み方向の長さよりも大きく形成され、棟側太陽電池モジュールのフレームにおける支持部の外側の下端と、第２連結金具における係止部で、棟側太陽電池モジュールのフレームの軒側の長辺部における金具係止部の爪部が係合した係止部が設けられた短辺側側壁部と底板部とがなす角部とが、第１直線に対して直角で金具係止部の外側の下端を通る直線である第２直線よりも棟側にあることを特徴とする請求項６に記載の太陽電池取付け構造体。
【請求項８】
太陽電池モジュールにおいて、金具係止部が、支持部本体の底面から下方に突出して形成された係止部本体を有し、係止部本体の内側を構成する面である内側構成面がモジュール本体の底面に対して略直角をなし、爪部が内側構成面から内側に突出して形成され、該爪部における上側の面が内側構成面に対して鋭角に形成され、また、連結金具において、短辺側側壁部が板状部材により形成され、係止部が板状部材を外側に押出し加工して下方に開口することにより外側に膨出して形成され、長辺側側壁部側から見て、係止部の爪部との係合部分である下端部の基端側が先端側よりも上方となり、下端部が底板部の上面の方向に対して鋭角に形成されていることを特徴とする請求項６又は７に記載の太陽電池取付け構造体。
【発明の詳細な説明】
【技術分野】
【０００１】
本発明は、傾斜した屋根に取り付ける太陽電池モジュールと、屋根に施工された屋根瓦と該太陽電池モジュールとを連結する連結金具に関するものである。
【背景技術】
【０００２】
従来より傾斜した屋根に施工された屋根瓦に連結金具を介して取り付けられる太陽電池モジュールは、特許文献１〜特許文献７に示すものがあり、具体的には、図２４、図２５に示すように構成されている。
【０００３】
すなわち、太陽電池モジュール１０７０は、側縁把持部１０７１と、側縁把持部１０７１の内側に設けられた係止突起１０７８とを有していて、側縁把持部１０７１は、より詳細には、太陽電池モジュール１０７０の側方に設けられた側板部１０７２と、側板部１０７２の上端から内側に形成された上板部１０７４と、側板部１０７２の上端よりも下側に上板部１０７４と平行に設けられた下板部１０７６と、側板部１０７２の下端領域の内側に突出した係止突起１０７８とを有している。
【０００４】
ここで、側板部１０７２の上側部分である上側側板部１０７２ａと上板部１０７４と下板部１０７６とでパネル係止部１０８０が構成され、このパネル係止部１０８０は、断面略コ字状に形成されている。また、側板部１０７２の下側部分である下側側板部１０７２ｂと係止突起１０７８とで金具係止部１０９０が構成される。つまり、側縁把持部１０７１の軒側（Ｒ１側）においては、金具係止部１０９０の軒側の端部は、パネル係止部１０８０の軒側の端部と流れ方向（軒側と棟側間の方向）に同じ位置に形成されている。つまり、金具係止部１０９０の軒側の端部である下側側板部１０７２ｂの軒側の面と、パネル係止部１０８０の軒側の端部である上側側板部１０８２ａの軒側の面とは流れ方向の同一の位置に形成されている。なお、側縁把持部１０７１は、軒側と棟側とで対称に形成されていて、側縁把持部１０７１の棟側（Ｒ２側）においては、パネル係止部１０８０の棟側の端部と金具係止部１０９０の棟側の端部とは流れ方向（軒側と棟側間の方向）とは同じ位置に形成されている。
【０００５】
太陽電池モジュール１０７０Ａと太陽電池モジュール１０７０Ｂとを流れ方向に隣接した屋根瓦１００１に取り付けられた連結金具１０２０にそれぞれ取り付けた状態では、図２５に示すように、軒側の太陽電池モジュール１０７０Ｂの棟側の端部と棟側の太陽電池モジュール１０７０Ａの軒側の端部とが流れ方向において重なるように施工される。つまり、図２５に示すように、流れ方向において長さＪ１の範囲で流れ方向に隣接する太陽電池モジュールが重なっている。
【先行技術文献】
【特許文献】
【０００６】
【特許文献１】特開２００５−２４０５２２号公報
【特許文献２】特開２００５−２４０５２４号公報
【特許文献３】特開２００５−２４０５２３号公報
【特許文献４】特開２００６−９２４８号公報
【特許文献５】特開２００５−２８２３４０号公報
【特許文献６】特開２００６−５７３２１号公報
【特許文献７】特開２００６−１２５０８４号公報
【発明の概要】
【発明が解決しようとする課題】
【０００７】
しかし、太陽電池モジュールの交換や修理等のために太陽電池モジュールを連結金具から取り外すには、流れ方向に隣接する太陽電池モジュールは、端部同士が流れ方向において重ねるように施工され、金具係止部１０９０の軒側の端部は、パネル係止部１０８０の軒側の端部と流れ方向に同じ位置に形成されていることから、棟側の隣接する太陽電池モジュールが取り付けられている場合には、その太陽電池モジュールを取り外すことができないという問題があった。つまり、太陽電池モジュール１０７０Ｂの軒側の係止突起１０７８と連結金具１０２０の軒側の係止爪１０５２の係合を解除して、太陽電池モジュール１０７０Ｂの軒側の端部を上方に回動させようとしても、金具係止部１０９０の軒側の端部がパネル係止部１０８０の軒側の端部と流れ方向に同じ位置に形成されているので、太陽電池モジュール１０７０Ｂを太陽電池モジュール１０７０Ａの軒側の端部（特に、金具係止部１０９０）に接触してしまい、太陽電池モジュール１０７０Ｂの棟側の係止突起１０７８と連結金具１０２０の棟側の係止爪１０５２の係合を解除することができず、また、太陽電池モジュール１０７０Ａの軒側の端部の下端（つまり、係止突起１０７８の下端）と連結金具１０２０（太陽電池モジュール１０７０Ｂが取り付けられた連結金具１０２０）の棟側の端部との間に太陽電池モジュール１０７０Ｂの棟側の端部を挿通するための空間が形成されていないため、太陽電池モジュール１０７０Ａの棟側の端部を引き出すことができない。つまり、太陽電池モジュール１０７０Ａが取り付けられた連結金具１０２０の棟側の端部と太陽電池モジュール１０７０Ｂの軒側の端部間には、長さＪ２の隙間があるが、この長さＪ２は、太陽電池モジュール１０７０Ｂの棟側の端部の厚みＪ３よりも小さいので、太陽電池モジュール１０７０Ａの棟側の端部を引き出すことができず、結果として、棟側に隣接する太陽電池モジュールがある状態で、太陽電池モジュールを取り外すことができず、最も棟側の太陽電池モジュールから順次所望の太陽電池モジュールの棟側に隣接する太陽電池モジュールまでを取り外した後に、所望の太陽電池モジュールを取り外す必要があり、棟側に隣接する太陽電池モジュールがある場合に、太陽電池モジュールの取外しが困難であるという問題があった。
【０００８】
また、太陽電池モジュールを屋根瓦に取り付けられた連結金具に取り付ける際にも、太陽電池モジュール１０７０Ａの軒側の端部の下端と連結金具１０２０（太陽電池モジュール１０７０Ｂが取り付けられた連結金具１０２０）の棟側の端部との間に太陽電池モジュール１０７０Ｂの棟側の端部を挿通するための空間が形成されていないため、太陽電池モジュール１０７０Ａを連結金具１０２０に取り付けた状態で太陽電池モジュール１０７０Ｂを取り付けることができず、太陽電池モジュールを軒側から棟側に向けて順次連結金具に取り付けていく必要があり、また、太陽電池モジュールの取付け作業に際しては、施工者は、屋根面が傾斜していることから、取り付ける太陽電池モジュールの棟側に立って作業をすることは困難であり、そうすると、施工者は、すでに取り付けた太陽電池モジュールの上に乗った状態で棟側の太陽電池モジュールを取り付けることになり、太陽電池モジュールの上に乗ることにより太陽電池モジュールの故障の原因になるという問題があった。
【０００９】
そこで、本発明は、傾斜した屋根に施工された屋根瓦に取り付けられた連結金具に取り付ける太陽電池モジュールにおいて、軒側に隣接する太陽電池モジュールがある場合でも、連結金具との取外しが容易であり、また、傾斜した屋根への施工に際して、棟側から軒側に向けて順次施工することができる太陽電池モジュールを提供し、傾斜した屋根に施工された屋根瓦と太陽電池モジュールとを連結する連結金具において、軒側に隣接する太陽電池モジュールがある場合でも、太陽電池モジュールの取外しが容易であり、傾斜した屋根への施工に際して、棟側から軒側に向けて順次太陽電池モジュールを施工することができる連結金具を提供するとともに、太陽電池を屋根面へ取り付けるための太陽電池取付け構造体であって、上記太陽電池モジュールと上記連結金具を備えた太陽電池取付け構造体を提供することを目的とするものである。
【課題を解決するための手段】
【００１０】
本発明は上記問題点を解決するために創作されたものであって、第１には、屋根瓦に取り付けられた連結金具に取り付ける太陽電池モジュールであって、略長方形状の板状を呈し、太陽電池を有するモジュール本体（２１２）と、モジュール本体の外周に設けられ一対の長辺部（２２２ａ、２２２ｂ）と一対の短辺部（２２４ａ、２２４ｂ）とで枠状に形成されたフレームで、長辺部及び短辺部に設けられ、モジュール本体を支持する支持部（２３０）と、長辺部に設けられ、連結金具に係止する金具係止部（２３４）とを有するフレーム（２２０）と、を有し、長辺部における支持部が、モジュール本体の底面に沿って設けられた略板状の支持部本体（２３１）と、支持部本体の外側の端部から連設されモジュール本体の側面に沿って設けられた側面部（２３２ａ）と、側面部から連設され、支持部本体と略平行に設けられモジュールの上面に沿って設けられた上面部（２３２ｂ）とを有し、モジュール本体の外周側の端部が支持部本体と側面部と上面部とで囲まれた空間に支持され、金具係止部が、支持部本体の底面から下方に突出して形成され、連結金具に係止するための爪部（２３４ｂ）が金具係止部の内側に突出して形成され（「金具係止部が、支持部本体の底面から下方に突出して形成された係止部本体（２３４ａ）と、係止部本体の内側に形成され、連結金具に係止するための爪部（２３４ｂ）とを有し」としてもよい）、長辺部において、金具係止部におけるモジュール本体の底面に沿った方向である横方向における外側の端部が、支持部における側面部の外側の面よりも横方向に内側に位置していて、支持部の外側の端部側部分における下方で金具係止部の外側に空間（Ｓ１）が形成されていることを特徴とする。
【００１１】
この第１の構成の太陽電池モジュールにおいては、金具係止部におけるモジュール本体の底面に沿った方向である横方向における外側の端部が、支持部における側面部の外側の面よりも横方向に内側に位置していて、支持部の外側の端部側部分における下方で金具係止部の外側に空間が形成されているので、軒側に隣接する太陽電池モジュールを取り付ける際に、斜め上方から太陽電池モジュールを棟側の太陽電池モジュールと軒側の連結金具間に挿脱する際に、棟側の太陽電池モジュールの金具係止部が支障となることがない。よって、軒側に隣接する太陽電池モジュールがある場合でも、連結金具との取外しが容易であり、また、傾斜した屋根への施工に際して、棟側から軒側に向けて順次施工することができる。
【００１２】
また、第２には、略長方形状の板状を呈し、太陽電池を有するモジュール本体（２１２）と、モジュール本体の外周に設けられ一対の長辺部（２２２ａ、２２２ｂ）と一対の短辺部（２２４ａ、２２４ｂ）とで枠状に形成されたフレームで、長辺部及び短辺部に設けられ、モジュール本体を支持する支持部（２３０）と、長辺部に設けられ、連結金具に係止する金具係止部（２３４）とを有するフレーム（２２０）と、を有し、長辺部における支持部が、モジュール本体の底面に沿って設けられた略板状の支持部本体（２３１）と、支持部本体の外側の端部から連設されモジュール本体の側面に沿って設けられた側面部（２３２ａ）と、側面部から連設され、支持部本体と略平行に設けられモジュールの上面に沿って設けられた上面部（２３２ｂ）とを有し、モジュール本体の外周側の端部が支持部本体と側面部と上面部とで囲まれた空間に支持され、金具係止部が、支持部本体の底面から下方に突出して形成され、連結金具に係止するための爪部が金具係止部の内側に突出して形成され（「金具係止部が、支持部本体の底面から下方に突出して形成された係止部本体（２３４ａ）と、係止部本体の内側に形成され、連結金具に係止するための爪部（２３４ｂ）とを有し」としてもよい）、長辺部において、金具係止部におけるモジュール本体の底面に沿った方向である横方向における外側の端部が、支持部における側面部の外側の面よりも横方向に内側に位置していて、支持部の外側の端部側部分における下方で金具係止部の外側に空間（Ｓ１）が形成されている太陽電池モジュールを支持し、屋根瓦に取り付ける太陽電池モジュール設置用連結金具であって、略長方形の外形を有する底板部で、屋根瓦に係止するための開口部（１１２ａ）を有する底板部（１１１）と、底板部に設けられた弾性部で、屋根瓦と嵌合するための嵌合部（１１４ｂ、１１６ｂ）を備えた弾性部（１１４、１１６）とを有する底面部（１１０）と、底板部の一対の長辺部から立設した長辺側側壁部（１２０、１３０）と、底板部の一対の短辺部から立設した短辺側側壁部で、太陽電池モジュールの爪部と係合するための係止部が外側に突出して設けられた短辺側側壁部（１４０、１５０）と、を有し、短辺側側壁部の縦方向の長さ（Ｌ５）が、太陽電池モジュールを金具係止部の爪部により連結金具に取り付けた状態において、短辺側側壁部の下端が金具係止部の下端よりも下方となる長さに形成されていて、金具係止部の下方で短辺側側壁部の外側に空間（Ｓ２）が形成されていることを特徴とする。
【００１３】
この第２の構成の連結金具においては、短辺側側壁部の縦方向の長さが、太陽電池モジュールを金具係止部の爪部により連結金具に取り付けた状態において、短辺側側壁部の下端が金具係止部の下端よりも下方となる長さに形成されていて、金具係止部の下方で連結金具の外側に空間が形成されているので、軒側に隣接する太陽電池モジュールを取り付ける際に、斜め上方から太陽電池モジュールを棟側の太陽電池モジュールと軒側の連結金具間に挿脱する際に、棟側の太陽電池モジュールの金具係止部が支障となることがない。よって、軒側に隣接する太陽電池モジュールがある場合でも、連結金具との取外しが容易であり、また、傾斜した屋根への施工に際して、棟側から軒側に向けて順次施工することができる。
【００１４】
なお、上記第２の構成において、太陽電池モジュールを連結金具に取り付けた状態において、長辺側側壁部側から見た側面視において、金具係止部の爪部が係合した係止部が設けられた短辺側側壁部と底板部とがなす角部（Ｕ３）が、支持部の外側の下端（Ｕ２）と金具係止部の外側の下端（Ｕ１）を結ぶ直線（Ｗ２）よりも内側にあるようにするのが好ましい。その場合には、軒側に隣接する太陽電池モジュールを取り付ける際に、斜め上方から太陽電池モジュールを棟側の太陽電池モジュールと軒側の連結金具間に挿脱する際に、棟側の連結金具が支障となることがない。
【００１５】
また、第３には、上記第２の構成において、長辺側側壁部は、底面部の長辺部から立設し、一方の短辺側側壁部（１４０）側に縦方向に形成された辺部である縦方向辺部（１２１ｃ、１３１ｃ）を有する切欠部で、太陽電池モジュールを取り外すため治具を配置するための切欠部である治具配置用切欠部（１２１−２、１３１−２）が形成された側板部（１２１、１３１）を有することを特徴とする。
【００１６】
よって、この治具配置用切欠部により、太陽電池モジュールを取り外すための治具を配置し、治具を縦方向辺部に当接させるとともに、短辺側側面部に当接させて、治具を縦方向辺部を支点として回動させて短辺側側壁部を内側に押すことにより、連結金具に取り付けられていた太陽電池モジュールの爪部と短辺側側壁部の係止部との係合を解除することができる。
【００１７】
また、第４には、上記第３の構成において、長辺側側板部が、側板部の上辺から外側に連設された帯板部（１２２、１３２）と、帯板部の該一方の短辺側側壁部側の端部から連設され、該一方の短辺側側壁部側に向けて下方に傾斜し、治具配置用切欠部の側方に形成された傾斜板部で、太陽電池モジュールを取り外すための治具を治具配置用切欠部に案内するための傾斜板部（１２４、１３４）とを有することを特徴とする。
【００１８】
よって、治具を治具配置用切欠部に配置しやすくなり、太陽電池モジュールの取外しを容易とすることができる。
【００１９】
また、第５には、上記第３又は第４に記載の太陽電池モジュール設置用連結金具と、該連結金具に取り付けられた太陽電池モジュールを取り外すための治具（３０１）とを有する太陽電池モジュール設置用連結金具セットであって、治具が、把手部（３１０）と把手部の先端に設けられた板状の先端部（３２０）とを有し、先端部が、把持部から連設された基端部（３４０）と、基端部の側方から間隔を介して突出した一対の突状部で、先端側に設けられた第１突状部（３４４）と、基端側に設けられた第２突状部（３４２）とを有し、第１突状部の内側の辺部と基端部における第１突状部と第２突状部間の辺部と第２突状部の内側の辺部とで囲まれた切欠部である治具切欠部（３３０）と、第２突状部の先端で内側の辺部の先端位置に角部（３４２−１）とが形成され、第１突状部を治具配置用切欠部に配置し、第１突状部の内側の辺部を縦方向辺部に当接させた状態で、第２突状部における角部が短辺側側壁部に当接することを特徴とする。
【００２０】
よって、第１突状部を治具配置用切欠部に配置し、第１突状部の内側の辺部を縦方向辺部に当接させるとともに、第２突状部における角部が短辺側側壁部に当接させた状態で、治具を縦方向辺部を中心に回動させて短辺側側壁部を内側に押すことにより、連結金具に取り付けられていた太陽電池モジュールの爪部と短辺側側壁部の係止部との係合を解除することができる。
【００２１】
また、第５−１の構成として、以下の構成としてもよい。すなわち、「上記第３又は第４に記載の太陽電池モジュール設置用連結金具に用いる治具であって、治具が、把手部（３１０）と把手部の先端に設けられた板状の先端部（３２０）とを有し、先端部が、把持部から連設された基端部（３４０）と、基端部の側方から間隔を介して突出した一対の突状部で、先端側に設けられた第１突状部（３４４）と、基端側に設けられた第２突状部（３４２）とを有し、第１突状部の内側の辺部と基端部における第１突状部と第２突状部間の辺部と第２突状部の内側の辺部とで囲まれた切欠部である治具切欠部（３３０）と、第２突状部の先端で内側の辺部の先端位置に角部（３４２−１）とが形成され、第１突状部を治具配置用切欠部に配置し、第１突状部の内側の辺部を縦方向辺部に当接させるとともに、第２突状部における角部が短辺側側壁部に当接させた状態で、治具を縦方向辺部を支点として回動させて短辺側側壁部を内側に押すことにより、連結金具に取り付けられていた太陽電池モジュールの爪部と短辺側側壁部の係止部との係合を解除することを特徴とする治具。」としてもよい。
【００２２】
また、上記第５又は第５−１の構成において、先端部における第２突状部の内側の辺部の位置よりも先端側の領域である第１領域（３２０−１）が、先端部における第１領域以外の領域である第２領域（３２０−２）に対して、該第２突状部の内側の辺部（３３０ｄ）の延長線上に形成された折れ線（３５０）を介して屈曲して形成されていることを特徴とするものとしてもよい。
【００２３】
また、第６には、太陽電池を屋根面へ取り付けるための太陽電池取付け構造体であって、屋根瓦に取り付けられ太陽電池モジュールを支持する連結金具（１０１）と、連結金具に取り付けられる太陽電池モジュール（２０１）とを有し、太陽電池モジュールは、略長方形状の板状を呈し、太陽電池を有するモジュール本体（２１２）と、モジュール本体の外周に設けられ一対の長辺部（２２２ａ、２２２ｂ）と一対の短辺部（２２４ａ、２２４ｂ）とで枠状に形成されたフレームで、長辺部及び短辺部に設けられ、モジュール本体を支持する支持部（２３０）と、長辺部に設けられ、連結金具に係止する金具係止部（２３４）とを有するフレーム（２２０）と、を有し、長辺部における支持部が、モジュール本体の底面に沿って設けられた略板状の支持部本体（２３１）と、支持部本体の外側の端部から連設されモジュール本体の側面に沿って設けられた側面部（２３２ａ）と、側面部から連設され、支持部本体と略平行に設けられモジュールの上面に沿って設けられた上面部（２３２ｂ）とを有し、モジュール本体の外周側の端部が支持部本体と側面部と上面部とで囲まれた空間に支持され、金具係止部が、支持部本体の底面から下方に突出して形成され、連結金具に係止するための爪部（２３４ｂ）が金具係止部の内側に突出して形成され（「金具係止部が、支持部本体の底面から下方に突出して形成された係止部本体（２３４ａ）と、係止部本体の内側に形成され、連結金具に係止するための爪部（２３４ｂ）とを有し」としてもよい）、長辺部において、金具係止部におけるモジュール本体の底面に沿った方向である横方向における外側の端部が、支持部における側面部の外側の面よりも横方向に内側に位置していて、支持部の外側の端部側部分における下方で金具係止部の外側に空間（Ｓ１）が形成されており、連結金具は、略長方形の外形を有する底板部で、屋根瓦に係止するための開口部（１１２ａ）を有する底板部（１１１）と、底板部に設けられた弾性部で、屋根瓦と嵌合するための嵌合部（１１４ｂ、１１６ｂ）を備えた弾性部（１１４、１１６）とを有する底面部（１１０）と、底板部の一対の長辺部から立設した長辺側側壁部（１２０、１３０）と、底板部の一対の短辺部から立設した短辺側側壁部で、太陽電池モジュールの爪部と係合するための係止部が外側に突出して設けられた短辺側側壁部（１４０、１５０）と、を有し、短辺側側壁部の縦方向の長さ（Ｌ５）が、太陽電池モジュールを金具係止部の爪部により連結金具に取り付けた状態において、短辺側側壁部の下端が金具係止部の下端よりも下方となる長さに形成されていて、金具係止部の下方で短辺側側壁部の外側に空間（Ｓ２）が形成されていることを特徴とする。
【００２４】
この第６の構成の太陽電池取付け構造体においては、金具係止部におけるモジュール本体の底面に沿った方向である横方向における外側の端部が、支持部における側面部の外側の面よりも横方向に内側に位置していて、支持部の外側の端部側部分における下方で金具係止部の外側に空間が形成されているので、軒側に隣接する太陽電池モジュールを取り付ける際に、斜め上方から太陽電池モジュールを棟側の太陽電池モジュールと軒側の連結金具間に挿脱する際に、棟側の太陽電池モジュールの金具係止部が支障となることがない。
【００２５】
また、短辺側側壁部の縦方向の長さが、太陽電池モジュールを金具係止部の爪部により連結金具に取り付けた状態において、短辺側側壁部の下端が金具係止部の下端よりも下方となる長さに形成されていて、金具係止部の下方で連結金具の外側に空間が形成されているので、軒側に隣接する太陽電池モジュールを取り付ける際に、斜め上方から太陽電池モジュールを棟側の太陽電池モジュールと軒側の連結金具間に挿脱する際に、棟側の太陽電池モジュールの金具係止部が支障となることがない。
【００２６】
よって、軒側に隣接する太陽電池モジュールがある場合でも、連結金具との取外しが容易であり、また、傾斜した屋根への施工に際して、棟側から軒側に向けて順次施工することができる。
【００２７】
なお、上記第６の構成において、太陽電池モジュールを連結金具に取り付けた状態において、長辺側側壁部側から見た側面視において、金具係止部の爪部が係合した係止部が設けられた短辺側側壁部と底板部とがなす角部（Ｕ３）が、支持部の外側の下端（Ｕ２）と金具係止部の外側の下端（Ｕ１）を結ぶ直線（Ｗ２）よりも内側にあるようにするのが好ましい。その場合には、軒側に隣接する太陽電池モジュールを取り付ける際に、斜め上方から太陽電池モジュールを棟側の太陽電池モジュールと軒側の連結金具間に挿脱する際に、棟側の連結金具が支障となることがない。
【００２８】
また、第７には、上記第６の構成において、太陽電池取付け構造体が、連結金具を取り付けるための屋根瓦（１）を有し、屋根瓦は、その上面に連結金具の底板部に設けられた開口部に係止する係止突起（１６）と、連結金具の弾性部に設けられた嵌合部が嵌合する嵌合凹部（１８ｆ、２０ｆ）と、を有し、流れ方向に隣接する屋根瓦のそれぞれに連結金具が取り付けられ、軒側の連結金具を第１連結金具（１０１ａ）とし、棟側の連結金具を第２連結金具（１０１ｂ）とし、第２連結金具に太陽電池モジュールが取り付けられ、第２連結金具に取り付けられた太陽電池モジュールを棟側太陽電池モジュール（２０１ｂ）とした状態において、長辺側側壁部側から見た側面視において、棟側太陽電池モジュールの金具係止部の外側の下端（Ｕ１）から第１連結金具における第２連結金具側の短辺側側壁部までの最短距離をなす直線である第１直線（Ｗ１）の長さが、フレームの厚み方向の長さ（Ｌ４）よりも大きく形成され、棟側太陽電池モジュールのフレームにおける支持部の外側の下端（Ｕ２）と、第２連結金具における係止部で、棟側太陽電池モジュールのフレームの軒側の長辺部における金具係止部の爪部が係合した係止部が設けられた短辺側側壁部と底板部とがなす角部（Ｕ３）とが、第１直線に対して直角で金具係止部の外側の下端（Ｕ１）を通る直線である第２直線（Ｗ３）よりも棟側にあることを特徴とする。
【００２９】
この第７の構成の太陽電池取付け構造体においては、金具係止部におけるモジュール本体の底面に沿った方向である横方向における外側の端部が、支持部における側面部の外側の面よりも横方向に内側に位置していて、支持部の外側の端部側部分における下方で金具係止部の外側に空間が形成されているので、軒側に隣接する太陽電池モジュールを取り付ける際に、斜め上方から太陽電池モジュールを棟側の太陽電池モジュールと軒側の連結金具間に挿脱する際に、棟側の太陽電池モジュールの金具係止部が支障となることがない。
【００３０】
また、短辺側側壁部の縦方向の長さが、太陽電池モジュールを金具係止部の爪部により連結金具に取り付けた状態において、短辺側側壁部の下端が金具係止部の下端よりも下方となる長さに形成されていて、金具係止部の下方で連結金具の外側に空間が形成されているので、軒側に隣接する太陽電池モジュールを取り付ける際に、斜め上方から太陽電池モジュールを棟側の太陽電池モジュールと軒側の連結金具間に挿脱する際に、棟側の太陽電池モジュールの金具係止部が支障となることがない。
【００３１】
よって、軒側に隣接する太陽電池モジュールがある場合でも、連結金具との取外しが容易であり、また、傾斜した屋根への施工に際して、棟側から軒側に向けて順次施工することができる。
【００３２】
また、第１直線の長さが、フレームの厚み方向の長さよりも大きく形成され、棟側太陽電池モジュールのフレームにおける支持部の外側の下端と、第２連結金具における係止部で、棟側太陽電池モジュールのフレームの軒側の長辺部における金具係止部の爪部が係合した係止部が設けられた短辺側側壁部と底板部とがなす角部とが、第１直線に対して直角で金具係止部の外側の下端を通る直線である第２直線よりも棟側にあるので、フレームの厚み方向の長さＬ４をなるべく第２直線の長さに近づけることとができ、結果的に、棟側太陽電池モジュールの金具係止部の外側の下端と第１連結金具における第２連結金具側の短辺側側壁部との間隔をなるべく小さくして太陽電池モジュールの設置スペースの効率化を図ることができる。
【００３３】
なお、上記第７の構成において、太陽電池モジュールを連結金具に取り付けた状態において、長辺側側壁部側から見た側面視において、金具係止部の爪部が係合した係止部が設けられた短辺側側壁部と底板部とがなす角部（Ｕ３）が、支持部の外側の下端（Ｕ２）と金具係止部の外側の下端（Ｕ１）を結ぶ直線（Ｗ２）よりも内側（軒側としてもよい）にあるようにするのが好ましい。その場合には、軒側に隣接する太陽電池モジュールを取り付ける際に、斜め上方から太陽電池モジュールを棟側の太陽電池モジュールと軒側の連結金具間に挿脱する際に、棟側の連結金具が支障となることがない。
【００３４】
また、第８には、上記第６又は第７の構成において、太陽電池モジュールにおいて、金具係止部が、支持部本体の底面から下方に突出して形成された係止部本体（２３４ａ）を有し、係止部本体の内側を構成する面である内側構成面（２３４ａ−２−１）がモジュール本体の底面に対して略直角をなし、爪部が内側構成面から内側に突出して形成され、該爪部における上側の面が内側構成面に対して鋭角に形成され、また、連結金具において、短辺側側壁部が板状部材により形成され、係止部が板状部材を外側に押出し加工して下方に開口することにより外側に膨出して形成され、長辺側側壁部側から見て、係止部の爪部との係合部分である下端部（１４４ａ、１５４ａ）の基端側が先端側よりも上方となり、下端部が底板部の上面の方向に対して鋭角に形成されていることを特徴とする。
【００３５】
よって、連結金具の係止部と、太陽電池モジュールの爪部の係合を確実なものとすることができる。
【００３６】
なお、上記第２、第６、第７の構成における底面部を「略長方形の外形を有する底板部で、屋根瓦に係止するための開口部（１１２ａ）を有する底板部（１１１）と、底板部に設けられた弾性部（１１４、１１６）とを有し、弾性部が、底板部に設けられ弾性を有する部材により形成された弾性部本体（１１４ａ、１１６ａ）と、弾性部本体に設けられ、屋根瓦と嵌合する嵌合部（１１４ｂ、１１６ｂ）とを有する底面部（１１０）」としてもよい。
【発明の効果】
【００３７】
本発明に基づく太陽電池モジュール、太陽電池モジュール設置用連結金具、太陽電池モジュール用連結金具セット及び太陽電池取付け構造体によれば、軒側に隣接する太陽電池モジュールがある場合でも、連結金具との取外しが容易であり、また、傾斜した屋根への施工に際して、棟側から軒側に向けて順次施工することができる。
【図面の簡単な説明】
【００３８】
【図１】屋根瓦の上方斜視図である。
【図２】屋根瓦の下方斜視図である。
【図３】屋根瓦を示す図であり、（ａ）は平面図であり、（ｂ）は正面図であり、（ｃ）は左側面図であり、（ｄ）は右側面図である。
【図４】図１のＡ−Ａ断面図である。
【図５】連結金具の斜視図である。
【図６】連結金具を示す図であり、（ａ）は平面図であり、（ｂ）は右側面図であり、（ｃ）は底面図であり、（ｄ）は正面図であり、（ｅ）は背面図であり、（ｆ）と（ｇ）は（ｂ）における部分拡大図である。
【図７】太陽電池モジュールの上方斜視図である。
【図８】太陽電池モジュールの下方斜視図である。
【図９】図７のＢ−Ｂ断面図である。
【図１０】図９の要部拡大図である。
【図１１】取付け構造体を説明するための要部断面図である。
【図１２】屋根瓦を屋根面に施工した状態を示す斜視図である。
【図１３】連結金具の屋根瓦への取付け工程を示す断面図である。
【図１４】連結金具を屋根瓦に取り付けた状態を示す斜視図である。
【図１５】連結金具を屋根瓦に取り付けた状態を示す平面図である。
【図１６】屋根面に施工した屋根瓦に連結金具を取り付けた状態を示す斜視図である。
【図１７】太陽電池モジュールの連結金具への取付け工程を示す要部断面図である。
【図１８】太陽電池モジュールの連結金具への取付け工程を示す断面図である。
【図１９】太陽電池モジュールを連結金具に取り付けた状態を示す断面図である。
【図２０】屋根面に太陽電池モジュールを施工した状態を示す斜視図である。
【図２１】治具の斜視図である。
【図２２】治具の使用方法を示す斜視図である。
【図２３】太陽電池モジュールの他の例を示す要部断面図である。
【図２４】従来における太陽電池モジュールとその施工状態を示す断面図である。
【図２５】図２４の要部拡大図である。
【発明を実施するための形態】
【００３９】
本発明においては、傾斜した屋根に施工された屋根瓦に取り付けられた連結金具に取り付ける太陽電池モジュールにおいて、軒側に隣接する太陽電池モジュールがある場合でも、連結金具との取外しが容易であり、また、傾斜した屋根への施工に際して、棟側から軒側に向けて順次施工することができる太陽電池モジュールを提供し、傾斜した屋根に施工された屋根瓦と太陽電池モジュールとを連結する連結金具において、軒側に隣接する太陽電池モジュールがある場合でも、太陽電池モジュールの取外しが容易であり、傾斜した屋根への施工に際して、棟側から軒側に向けて順次太陽電池モジュールを施工することができる連結金具を提供するとともに、太陽電池を屋根面へ取り付けるための太陽電池取付け構造体であって、上記太陽電池モジュールと連結金具を備えた太陽電池取付け構造体を提供するという目的を以下のようにして実現した。
【００４０】
本発明に基づく太陽電池を屋根面へ取り付けるための取付け構造体（太陽電池取付け構造体）Ｐ（図１９図、２０参照）は、屋根瓦（太陽電池モジュール設置用屋根瓦）１と、屋根瓦１に取り付けられ、太陽電池モジュール２０１を支持する連結金具（太陽電池モジュール設置用連結金具）１０１と、連結金具１０１に取り付けられる太陽電池モジュール２０１とを有している。
【００４１】
屋根瓦１は、図１〜図４に示すように構成されている。すなわち、屋根瓦１は、平面視が略正方形状の陶板から構成され、本体部１０と、本体部１０の左側面側に連設された差込み部３０と、本体部１０の右側面側に連設された桟部４０と、本体部１０の背面側に連設された尻部５０とを有している。複数の屋根瓦１を屋根面に施工した際には、正面側（Ｘ１側）が軒先側となり、尻部５０側が棟側となり、差込み部３０は、右側面側に隣接する屋根瓦１の桟部４０に被覆される。なお、屋根瓦１における係止突起１６と突設部１８、２０以外の構成が、瓦本体９となる。また、屋根瓦１は、全体に一体に形成され、係止突起１６や突設部１８、２０は、瓦本体９と一体に形成されている。屋根瓦１は、粘土を焼成することにより形成されているが、他の材料（例えば、セメント、樹脂（例えば、ＦＲＰ）、金属）により製造されたものでもよい。
【００４２】
ここで、本体部１０は、平面視で略正方形状の略板状を呈し、板状部１２と、板状部１２の上面に形成された係止突起１６、突設部１８、２０とを有している。
【００４３】
板状部１２は、平面視で略正方形状の板状を呈し、左側面側の端部領域には、傾斜して形成された水返し１２ａを有し、水返し１２ａは、左側面側にいくほど上側となるように傾斜している。
【００４４】
また、板状部１２は、正面側の端部に頭部１４を有している。つまり、板状部１２の正面側の端部領域が頭部１４を構成している。
【００４５】
頭部１４は、中央頭部１４−１と、中央頭部１４−１の左側面側に位置する左側頭部１４−２と、中央頭部１４−１の右側面側に位置する右側頭部１４−３とを有している。
【００４６】
中央頭部１４−１は、頭部１４の左右方向の略中央に位置し、頭部１４における左側頭部１４−２と右側頭部１４−３の間の領域を構成し、図４に示すように、板状部１２における頭部１４以外の部分である内側構成部１５と略同一の厚みを有している。つまり、中央頭部１４−１は、内側構成部１５における水返し１２ａ以外の領域の厚みと略同一の厚みとなっている。頭部１４の上面は平面状であり、内側構成部１５の上面（内側構成部１５の上面は平面状をなす）と同一平面状となっている。同様に、頭部１４の下面は平面状であり、内側構成部１５の下面（内側構成部１５の下面は平面状をなす）と同一平面状となっている。なお、図４に示すように、中央頭部１４−１の正面側の端部の下端には、従来と異なり切欠きは形成されていない。
【００４７】
また、左側頭部１４−２と右側頭部１４−３の厚みは、内側構成部１５の厚み（内側構成部１５における傾斜面１２ａ以外の領域の厚み）と略同一であるが、正面側に向けて下方に湾曲した形状を呈している。従って、中央頭部１４−１と左側頭部１４−２間の領域は、左側面側に向けて下方に緩やかに湾曲し、中央頭部１４−１と右側頭部１４−３間の領域は、右側面側に向けて下方に緩やかに湾曲している。
【００４８】
また、係止突起１６は、屋根瓦１の上面、具体的には、板状部１２の上面の略中央に設けられ、背面側に切欠部１６ｆを有するフック状を呈している。すなわち、係止突起１６は、内側構成部１５の上面に対して鉛直方向に形成されるとともに前後方向に形成された右側面部１６ａ及び左側面部１６ｂと、右側面部１６ａと左側面部１６ｂの正面側の端部から連設され、正面側に向けて下方に傾斜する正面部１６ｃと、右側面部１６ａと左側面部１６ｂの背面側の端部から連設され、内側構成部１５の上面に対して鉛直方向に形成されるとともに左右方向に形成された背面部１６ｄと、右側面部１６ａと左側面部１６ｂと正面部１６ｃと背面部１６ｄの上辺から連設され、内側構成部１５の上面に対して略平行に形成された上面部１６ｅとを有し、その背面側には、切欠部１６ｆが形成されている。切欠部１６ｆは、係止突起１６の背面部から正面側に向けて前後方向に形成され、左右方向には、右側面部１６ａ側の端部から左側面部１６ｂの端部にまで形成されている。内側構成部１５の上面は、切欠部１６ｆの奥部（正面側の端部）にまで形成されている。なお、係止突起１６は、内側構成部１５の上面に突出して形成された基端部１６−１と、基端部１６−１の背面側の面の上部から背面側に突出して形成された突出部１６−２とを有する構成ともいえる。以上のようにして、係止突起１６は、背面側が開口した構成となっている。
【００４９】
また、突設部１８は、板状部１２の上面における係止突起１６の正面方向（正面側としてもよい）の位置に係止突起１６と間隔を介して形成されている。
【００５０】
突設部１８は、方形状の上面部１８ａと、上面部１８ａの各辺から下方に傾斜して形成された右側面部１８ｂ、左側面部１８ｃ、正面部１８ｄ及び背面部１８ｅを有し、突設部１８は、全体に四角錐状の外形を有している。この突設部１８は、内側構成部１５の上面に形成されているが、突設部１８の一部が頭部１４の上面に形成されている構成としてもよい。
【００５１】
また、上面部１８ａには、左右方向に形成された溝部（嵌合凹部）１８ｆが形成されている。溝部１８ｆは、溝状を呈し、上面部１８ａの左右方向及び前後方向の略中央に形成され、特に、左右方向には上面部１８ａの中央（すなわち、左右方向に均等の位置）に形成され、溝部１８ｆの左端と上面部１８ａの左端間の長さと溝部１８ｆの右端と上面部１８ａの右端間の長さは同一に形成されている。つまり、溝部１８ｆは、係止突起１６の正面方向の位置に形成されている。溝部１８ｆは、溝部の深さ方向には鉛直方向に形成されている。この溝部１８ｆには連結金具１０１の先端部１１４ｂが嵌合される。また、上面部１８ａから正面部１８ｄにかけて、溝部１８ｇが前後方向に形成され、この溝部１８ｇは、溝部１８ｆに連設して形成され、溝部１８ｆから正面側に向けて形成されている。
【００５２】
なお、係止突起１６の左右方向の中心は、突設部１８の左右方向の中心（特に、溝部１８ｆの左右方向の中心）とは左右方向に一致している。
【００５３】
また、突設部２０は、内側構成部１５の上面における係止突起１６の背面方向（背面側としてもよい）の位置に係止突起１６と間隔を介して形成され、突設部１８と同一の構成を有している。
【００５４】
すなわち、突設部２０は、方形状の上面部２０ａと、上面部２０ａの各辺から下方に傾斜して形成された右側面部２０ｂ、左側面部２０ｃ、正面部２０ｄ及び背面部２０ｅを有し、突設部２０は、全体に四角錐状の外形を有している。
【００５５】
また、上面部２０ａには、左右方向に形成された溝部（嵌合凹部）２０ｆが形成されている。溝部２０ｆは、溝状を呈し、上面部２０ａの左右方向及び前後方向の略中央に形成され、特に、左右方向には上面部２０ａの中央（すなわち、左右方向に均等の位置）に形成され、溝部２０ｆの左端と上面部２０ａの左端間の長さと溝部２０ｆの右端と上面部２０ａの右端間の長さは同一に形成されている。つまり、溝部２０ｆは、係止突起１６の背面方向の位置に形成されている。溝部２０ｆは、溝部の深さ方向には鉛直方向に形成されている。この溝部２０ｆには連結金具１０１の先端部１１６ｂが嵌合される。また、上面部２０ａから正面部２０ｄにかけて、溝部２０ｇが前後方向に形成され、この溝部２０ｇは、溝部２０ｆに連設して形成され、溝部２０ｆから正面側に向けて形成されている。
【００５６】
なお、係止突起１６の左右方向の中心は、突設部２０の左右方向の中心（特に、溝部２０ｆの左右方向の中心）とは左右方向に一致している。また、突設部２０の左右方向の位置は、突設部１８の左右方向の位置と一致している。
【００５７】
溝部１８ｆと溝部２０ｆの前後方向の形成位置は、連結金具１０１の開口部１１２ａに係止突起１６を挿通した後、連結金具１０１を正面側にスライドさせた際に、連結金具１０１の先端部１１４ｂが溝部１８ｆに嵌合し、先端部１１６ｂが溝部２０ｆに嵌合する位置に形成されている。なお、先端部１１４ｂが溝部１８ｆに嵌合し、先端部１１６ｂが溝部２０ｆに嵌合した状態では、連結金具１０１の開口部１１２ａの背面側の縁部１１３が係止突起１６の切欠部１６ｆの奥部（正面側の端部）に接するようにするのが好ましい。
【００５８】
また、差込み部３０は、前後方向に細長の略長方形状の略板状を呈し、板状の本体部３２の上面に水返し３４と被係止部３６を形成した構成となっている。すなわち、水返し３４は、本体部３２の左側面側の辺部における被係止部３６の形成位置を除いた辺部と、背面側の辺部とに沿って上方に突出して形成されている。また、被係止部３６は、水返し３４の正面側の端部から連設して形成され、平面視で略逆コ字状に形成され、被係止部３６は、屋根面に施工された際に、他の屋根瓦１の係止突起５８と係合する。つまり、被係止部３６の左側面側には、係止突起５８の先端が配置される凹部３８が形成され、被係止部３６は、該凹部３８を形成するために回り込むように屈曲して形成されている。
【００５９】
このように、屋根瓦１を屋根面に施工した際に、係止突起５８が被係止部３６と係合することにより、屋根瓦１が風により吹き飛ばされることを防止することができる。つまり、屋根瓦１を屋根面に施工する際に、釘孔６０ａ、６０ｂを介して、野地板３００の上面に流れ方向（軒側と棟側の間の方向、図１２〜図２０に示すＲ１−Ｒ２方向）に所定間隔を介して設けられるとともに桁方向に設けられた桟木３１０に釘を打ち込むのみならず、係止突起５８を被係止部３６と係合させることにより、屋根瓦１が風により吹き飛ばされることを防止することができる。
【００６０】
また、桟部４０は、板状部１２の右側面側の端部から連設され、右側面側に向けて上方に傾斜して形成された傾斜部４２と、傾斜部４２の右側面側の端部から連設された本体部４４を有している。本体部４４は、正面側の領域と水返し４６を形成した領域を除き、平板状をなし、本体部４４の正面側の領域は、正面側に向けて下方に湾曲した形状を呈し、水返し４６は、略コ字状に形成されている。
【００６１】
また、尻部５０は、板状部１２の背面側の端部と、差込み部３０の背面側の部分と、桟部４０の背面側の部分とから連設され、背面側に向けて上方に傾斜して形成された傾斜部５２と、傾斜部５２の背面側の端部から連設された本体部５４と、本体部５４の上面から上方に突出して形成された係止突起５８とを有している。本体部５４は、両側に形成された下方突出部５６ａ、５６ｂの領域を除き、平板状をなし、下方突出部５６ａ、５６ｂは、下方に向けて尖った形状となっている。本体部５４の上面の両側には、釘孔６０ａ、６０ｂが形成されている。この釘孔６０ａ、６０ｂを介して、野地板３００又はその上に流れ方向に所定間隔を介して設けられた桟木３１０に釘を打ち込むことにより屋根瓦１が屋根に固定される。
【００６２】
また、係止突起５８は、右側面側に切欠部５８ａを有するフック状を呈している。つまり、係止突起５８は、本体部５４の上面に突出して形成された基端部５８−１と、基端部５８−１の右側面側の面の上部から右側面側に突出して形成された突出部５８−２とを有している。以上のようにして、係止突起５８は、右側面側が開口した構成となっている。
【００６３】
なお、屋根瓦１を屋根に施工された際には、差込み部３０は、右側面側に隣接する屋根瓦１の桟部４０に被覆され、桟部４０の背面側の端部と尻部５０とは、背面側に隣接して施工された他の屋根瓦１に被覆されるので、本体部１０の上面の領域と桟部４０の上面の背面側の端部を除く領域とが雨曝し部６０を構成する。
【００６４】
なお、屋根瓦１は上記の構成であるとして説明したが、上記の構成に対して左右対称の構成としてもよい。
【００６５】
次に、連結金具１０１は、図５、図６に示すように構成され、弾性を有する１枚の板状の鋼材（例えば、ステンレス製の鋼材）により形成されている。つまり、連結金具１０１は、１枚の板状の鋼材を所定形状に形成し、折曲げ等の加工を行なうことにより形成したものである。
【００６６】
すなわち、連結金具１０１は、底面部１１０と、底面部１１０の右側面側の辺部から立設する側壁部（長辺側側壁部）１２０と、底面部１１０の左側面側の辺部から立設する側壁部（長辺側側壁部）１３０と、底面部１１０の正面側の辺部から立設する側壁部（短辺側側壁部）１４０と、底面部１１０の背面側の辺部から立設する側壁部（短辺側側壁部）１５０とを有している。
【００６７】
ここで、底面部１１０は、長方形状（略長方形状としてもよい）の外形を有する底板部１１１と、底板部１１１における開口部１１２ｂの辺部から正面側に向けて連設された舌片状弾性部１１４と、底板部１１１における開口部１１２ｃの辺部から背面側に向けて連設された舌片状弾性部１１６とを有している。
【００６８】
ここで、底板部１１１は、底板部１１１の略中央に設けられた方形状の開口部１１２ａと、開口部１１２ａの正面側に開口部１１２ａと間隔を介して設けられた略台形形状の開口部１１２ｂと、開口部１１２ａの背面側に開口部１１２ａと間隔を介して設けられた略台形形状の開口部１１２ｃとを有している。
【００６９】
舌片状弾性部（弾性部）１１４は、開口部１１２ｂにおける背面側の辺部から連設された弾性部本体１１４ａと、弾性部本体１１４ａの先端から連設された先端部（嵌合部）１１４ｂとを有している。弾性部本体１１４ａは、略台形形状（舌片状）の板状を呈し、先端にいくほど幅狭に形成され、底板部１１１に対して下方に折曲して形成されている。つまり、弾性部本体１１４ａは、側面視において、底板部１１１に対して鋭角である角度α１をなしている。
【００７０】
また、先端部１１４ｂは、長方形状の板状を呈し、弾性部本体１１４ａの先端から下方に突出して形成され、弾性部本体１１４ａに対して直角（略直角としてもよい）をなしている。つまり、先端部１１４ｂは、弾性部本体１１４ａに対して屈曲して形成されている。先端部１１４ｂは、左右方向に形成されている。以上のように、舌片状弾性部１１４は、板状部材を折曲げ形成してなり、側面視（特に、右側面視）において、略Ｌ字状を呈している。
【００７１】
また、舌片状弾性部（弾性部）１１６は、開口部１１２ｃにおける正面側の辺部から連設され、舌片状弾性部１１４と対称（前後対称）に形成されている。すなわち、舌片状弾性部１１６は、開口部１１２ｃにおける正面側の辺部から連設された弾性部本体１１６ａと、弾性部本体１１６ａの先端から連設された先端部（嵌合部）１１６ｂとを有している。弾性部本体１１６ａは、略台形形状（舌片状）の板状を呈し、先端にいくほど幅狭に形成され、底板部１１１に対して下方に折曲して形成されている。つまり、弾性部本体１１６ａは、側面視において、底板部１１１に対して鋭角である角度α２をなしている。
【００７２】
また、先端部１１６ｂは、長方形状の板状を呈し、弾性部本体１１６ａの先端から下方に突出して形成され、弾性部本体１１６ａに対して直角（略直角としてもよい）をなしている。つまり、先端部１１６ｂは、弾性部本体１１６ａに対して屈曲して形成されている。先端部１１６ｂは、左右方向に形成されている。以上のように、舌片状弾性部１１６は、板状部材を折曲げ形成してなり、側面視（特に、右側面視）において、略逆Ｌ字状を呈している。
【００７３】
この底面部１１０は、長方形状の板状部材に対して、開口部１１２ａを形成するとともに、開口部１１２ａの正面側と背面側に略コ字状の開口部を形成して、該略コ字状の開口部の内側の領域を舌片状弾性部１１４、１１６として折り曲げることにより形成される。つまり、舌片状弾性部１１４、１１６は、底面部１１０を切り欠いて形成されている。
【００７４】
また、側壁部１２０は、底面部１１０の右側面側の辺部から立設して形成された側板部１２１と、側板部１２１における切欠部を構成する辺部１２１ｅに沿って連設され、該辺部から外側（右側面側）に突出して形成された帯板部１２２と、帯板部１２２の正面側の辺部から連設され、正面側に向けて下方に傾斜した傾斜板部１２４と、側板部１２１の上辺（正面側の上辺）から連設され、外側（右側面側）に突出して形成された受け板部１２６と、側板部１２１の上辺（背面側の上辺）から連設され、外側（右側面側）に突出して形成された受け板部１２８とを有している。
【００７５】
ここで、側板部１２１は、長方形状の板状部材に対して上側に切欠部１２１Ｋを形成した形状を呈し、該切欠部１２１Ｋは、側板部１２１の上辺の正面側から縦方向（底板部１１１の上面（水平面）に対して直角方向）に形成された辺部１２１ａと、該辺部１２１ａの下端から背面側に横方向（底板部１１１の上面に対して平行な方向）に形成された辺部１２１ｂと、該辺部１２１ｂの背面側の端部から下方に縦方向に形成された辺部（縦方向辺部）１２１ｃと、該辺部１２１ｃの下端から背面側に横方向に形成された辺部１２１ｄと、該辺部１２１ｄの背面側の端部から上方に縦方向に形成された辺部１２１ｅと、該辺部１２１ｅの上端から背面側に横方向に形成された辺部１２１ｆと、該辺部１２１ｆの背面側の端部から背面側に向けて上方に傾斜する辺部１２１ｇとから形成されている。これにより、側板部１２１の上端においては、正面側に、辺部１２１ａと辺部１２１ｂにより凹部１２１−１が形成され、さらに、辺部１２１ｃと辺部１２１ｄと辺部１２１ｅにより該凹部１２１−１よりも下方に突出した凹部（治具配置用切欠部）１２１−２が形成されている。凹部１２１−２は、傾斜板部１２４の側方に設けられた切欠部であり、凹部１２１−２により、傾斜板部１２４にガイドされた治具３０１を挿入する空間が形成される。つまり、傾斜板部１２４は、治具３０１を凹部１２１−２に案内するガイド部として機能する。
【００７６】
側板部１２１の正面側の端部の上下方向（底板部１１１の上面に対する鉛直方向）の長さｈ１（図６（ｂ）参照）は、側板部１２１の背面側の端部の上下方向の長さｈ２（図６（ｂ）参照）よりも短く形成され、側板部１２１における受け板部１２６が連設された上辺と受け板部１２８が連設された上辺は前後方向に傾斜して形成され、受け板部１２６、１２８は、底板部１１１の上面に対して正面側が下方となるように傾斜して形成されている。なお、受け板部１２６と受け板部１２８とは同一平面上に形成されている。この受け板部１２６、１２８は、連結金具１０１に太陽電池モジュール２０１を取り付けた際には、支持部本体２３１の下面に接する。
【００７７】
この側壁部１２０は、底面部１１０の右側面側から延設された金属板を曲げ加工することにより形成される。
【００７８】
また、側壁部１３０は、底面部１１０の左側面側の辺部から立設して形成された側板部１３１と、側板部１３１における切欠部を構成する辺部（側板部１２１の辺部１２１ｆに対応する辺部）に沿って連設され、該辺部から外側（左側面側）に突出して形成された帯板部１３２と、帯板部１３２の正面側の辺部から連設され、正面側に向けて下方に傾斜した傾斜板部１３４と、側板部１３１の上辺（正面側の上辺）から連設され、外側（左側面側）に突出して形成された受け板部１３６と、側板部１３１の上辺（背面側の上辺）から連設され、外側（左側面側）に突出して形成された受け板部１３８とを有している。なお、側壁部１３０は、側壁部１２０と左右対称に形成されている。
【００７９】
なお、側板部１３１の上側には、切欠部１３１Ｋが形成されているが、この切欠部１３１Ｋの構成は、切欠部１２１Ｋと同様であるので、詳しい説明を省略する。なお、側板部１３１においても、凹部１２１−２と同様の構成の凹部（治具配置用切欠部）１３１−２が形成され、凹部１３１−２の正面側には、辺部（縦方向辺部）１３１ｃが形成されている。
【００８０】
この側壁部１３０は、底面部１１０の左側面側から延設された金属板を曲げ加工することにより形成される。
【００８１】
また、側壁部１４０は、底板部１１１の正面側の辺部から立設して形成された側板部１４２と、側板部１４２から外側（正面側）に突出して形成された係止部（係止爪としてもよい）１４４とを有している。
【００８２】
ここで、側板部１４２は、底板部１１１の正面側の辺部から立設した本体板部１４２ａと、本体板部１４２ａの上端から連設された中間板部１４２ｂと、中間板部１４２ｂの上端から連設された先端板部１４２ｃとを有し、長方形状の金属板を曲げ加工することにより形成されている。ここで、本体板部１４２ａは、図６（ｂ）に示すように、底板部１１１の上面（水平面）に対する直角方向に対して外側（正面側）に傾斜して形成され（つまり、上方にいくほど正面側にいくように傾斜している）、中間板部１４２ｂは、本体板部１４２ａに対してさらに外側に傾斜して形成されている。つまり、図６において、角度β１は、直角よりも小さく、角度β２は、角度β１よりも小さく形成されている。
【００８３】
また、先端板部１４２ｃは、中間板部１４２ｂに対して内側に傾斜して形成され、この先端板部１４２ｃは、底板部１１１に対する直角方向に対して内側（背面側）に傾斜して形成されている。この先端板部１４２ｃは、太陽電池モジュール２０１を連結金具１０１に取り付ける際に爪部２３４ｂのガイド部として機能する。先端板部１４２ｃの上端は、太陽電池モジュール２０１を連結金具１０１に取り付けた際に側壁部１４０が太陽電池モジュール２０１に接しないように、受け板部１２６の上面よりも下方に位置している。
【００８４】
また、係止部１４４は、中間板部１４２ｂにおける中央領域を外側に押出し加工して形成され、係止部１４４の下側が開口することにより外側に膨出して形成されている。係止部１４４は、正面視では、図６（ｄ）に示すように、略台形形状を呈し、その下端部１４４ａ以外は、中間板部１４２ｂと接続され、下端部１４４ａについては、その両側の端部のみが中間板部１４２ｂと接続され、底面視では、図６（ｃ）に示すように、下端部１４４ａは、直線状の両側が側壁部１４０側に湾曲した形状を呈している。係止部１４４の下端部１４４ａは、側面視において（側壁部１４０側から見て）、図６（ｂ）、（ｆ）に示すように、略直線状となっているが、係止部１４４の下端部１４４ａの基端側（背面側）が先端側（正面側）よりも上方となり、係止部１４４の下端部１４４ａは、側面視において、底板部１１１の上面の方向（水平方向）に対して、鋭角である角度β３をなしている。以上のように、係止部１４４の下端部１４４ａは、基端側から先端側にいくほど下方となるように形成されている。以上のように、側壁部１４０は、板状部材により形成され、係止部１４４が板状部材を外側に押出し加工して下方に開口することにより外側に膨出して形成されている。
【００８５】
また、側壁部１５０は、側壁部１４０と略前後対称に形成されているが、側板部１５２の本体板部１５２ａの上下方向の長さが側板部１４２の本体板部１４２ａの上下方向の長さよりも長く形成されている点が異なる。これは、屋根面に屋根瓦１を施工すると、屋根瓦１の上面の傾斜角度が野地板３００の上面の傾斜角度に対して、軒側が持ち上がった状態となり、屋根瓦１の上面の傾斜角度が野地板３００の傾斜角度よりも小さくなり、側壁部１４０と側壁部１５０の上下方向の長さを同一とすると、連結金具１０１に取り付けられた太陽電池モジュール２０１の傾斜角度も野地板３００の傾斜角度よりも小さくなるので、それを是正するために、側壁部１４０と側壁部１５０で本体板部の上下方向の長さを異ならせている。
【００８６】
すなわち、側壁部１５０は、底板部１１１の背面側の辺部から立設して形成された側板部１５２と、側板部１５２から外側（背面側）に突出して形成された係止部（係止爪としてもよい）１５４とを有している。
【００８７】
ここで、側板部１５２は、底板部１１１の背面側の辺部から立設した本体板部１５２ａと、本体板部１５２ａの上端から連設された中間板部１５２ｂと、中間板部１５２ｂの上端から連設された先端板部１５２ｃとを有し、長方形状の金属板を曲げ加工することにより形成されている。ここで、本体板部１５２ａは、図６（ｂ）に示すように、底板部１１１の上面（水平面）に対する直角方向に対して外側（背面側）に傾斜して形成され（つまり、上方にいくほど背面側にいくように傾斜している）、中間板部１５２ｂは、本体板部１５２ａに対してさらに外側に傾斜して形成されている。つまり、図６において、角度β１１は、直角よりも小さく、角度β１２は、角度β１１よりも小さく形成されている。
【００８８】
また、先端板部１５２ｃは、中間板部１５２ｂに対して内側に傾斜して形成され、この先端板部１５２ｃは、底板部１１１に対する直角方向に対して内側（正面側）に傾斜して形成されている。先端板部１５２ｃの上端は、太陽電池モジュール２０１を連結金具１０１に取り付けた際に側壁部１５０が太陽電池モジュール２０１に接しないように、受け板部１２８の上面よりも下方に位置している。
【００８９】
また、係止部１５４は、中間板部１５２ｂにおける中央領域を外側に押出し加工して形成され、係止部１５４の下端が開口することにより外側に膨出して形成されている。係止部１５４は、係止部１４４と前後対称に形成され、背面視では、図６（ｅ）に示すように、略台形形状を呈し、その下端部１５４ａ以外は、中間板部１５２ｂと接続され、下端部１５４ａについては、その両側の端部のみが中間板部１５２ｂと接続され、底面視では、図６（ｃ）に示すように、下端部１５４ａは、直線状の両側が側壁部１５０側に湾曲した形状を呈している。係止部１５４の下端部１５４ａは、側面視において（側壁部１５０側から見て）、図６（ｂ）、（ｇ）に示すように、略直線状となっているが、係止部１５４の下端部１５４ａの基端側（正面側）が先端側（背面側）よりも上方となり、係止部１５４の下端部１５４ａは、側面視において、底板部１１１の上面の方向（水平方向）に対して、鋭角である角度β１３をなしている。以上のように、係止部１５４の下端部１５４ａは、基端側から先端側にいくほど下方となるように形成されている。以上のように、側壁部１５０は、板状部材により形成され、係止部１５４が板状部材を外側に押出し加工して下方に開口することにより外側に膨出して形成されている。
【００９０】
太陽電池モジュール２０１を連結金具１０１に取り付けた際には、太陽電池モジュール２０１の金具係止部２３４が、係止部１４４、１５４に係止する。
【００９１】
なお、図１１に示すように、側壁部１４０の縦方向の長さＬ５が、太陽電池モジュール２０１を金具係止部２３４の爪部２３４ｂにより連結金具１０１に取り付けた状態において、側壁部１４０の下端が金具係止部２３４の下端よりも下方となる長さに形成されていて、金具係止部２３４の下方で連結金具の外側（具体的には、側壁部１４０（金具係止部２３４の爪部２３４ｂと係合した係止部１４４が設けられた側壁部１４０）の外側（より具体的には、側壁部１４０における側板部１４２の外側））に空間Ｓ２が形成され、太陽電池モジュール２０１を連結金具１０１に取り付けた状態において、側壁部１２０側から見た側面視において（流れ方向に対して直角の方向で屋根面に対して平行な方向から見た場合において）、金具係止部２３４の爪部２３４ｂが係合した係止部１４４が設けられた側壁部１４０と底板部１１１とがなす角部Ｕ３が、支持部２３０の外側の下端（つまり、角部Ｕ２）と金具係止部２３４の係止部本体２３４ａの下端における外側の角部Ｕ１を結ぶ直線Ｗ２よりも内側にある。つまり、板状部２３４ａ−１の外側の面から下方に伸ばした延長面（仮想の延長面）と、底板部１１１の底面を外側に延長した延長面（仮想上の延長面）と、係止部本体２３４ａの下面と、爪部２３４ｂの第３面部２３４ｂ−３と、側板部１４２の外側の面とで囲まれた切欠き状の空間Ｓ２が形成される。この空間Ｓ２は、図１１に示すように、断面略四角形状（断面略方形状）を呈している。
【００９２】
これにより、図１１に示すように、太陽電池モジュール２０１ｂ及び連結金具１０１ｂと軒側の連結金具１０１ａとの間に、太陽電池モジュール２０１ａの棟側の端部を挿脱する隙間と太陽電池モジュール２０１ａの棟側の端部を配置する空間を形成することができる。よって、軒側に隣接する太陽電池モジュール２０１ａを取り付ける際に、斜め上方から太陽電池モジュール２０１ａを棟側の太陽電池モジュール２０１ｂ及び連結金具１０１ｂと軒側の連結金具１０１ａ間に挿脱する際に、棟側の太陽電池モジュール２０１ｂの金具係止部２３４と棟側の連結金具１０１ｂが支障となることがない。
【００９３】
次に、太陽電池モジュール２０１は、図７〜図１０に示すように形成され、長方形状（略長方形状としてもよい）の板状を呈するモジュール本体２１２と、モジュール本体２１２の裏面に設けられたケース状の接続部２１４と、接続部２１４に接続された一対の配線コード２１６と、モジュール本体２１２を支持するフレーム２２０を有している。モジュール本体２１２と接続部２１４と配線コード２１６とで、主構成部２１０を構成する。
【００９４】
モジュール本体２１２は、複数の太陽電池セル（太陽電池）を有するものであり、具体的には、図１０に示すように、樹脂製で板状のバックシート２１２ａと、バックシート２１２ａの上面に設けられ、ＥＶＡ樹脂により形成された第１樹脂層２１２ｂと、第１樹脂層２１２ｂの上面に設けられた太陽電池セル２１２ｃと、太陽電池セル２１２ｃの上面に設けられ、ＥＶＡ樹脂により形成された第２樹脂層２１２ｄと、第２樹脂層２１２ｄの上面に形成されたガラス層２１２ｅとを有している。配線コード２１６の先端には、コネクタ２１６ａが設けられている。なお、モジュール本体２１２は、結晶シリコンモジュールの例であるが、モジュール本体２１２は、太陽電池を備えた構成であればよく、例えば、薄膜系の太陽電池を備えたものでもよい。すなわち、モジュール本体２１２は、略長方形状の板状を呈し、太陽電池を有するものであればよい。
【００９５】
また、フレーム２２０は、四角枠状（具体的には、長方形状の枠状）を呈し、一対の長辺部２２２ａ、２２２ｂと、一対の短辺部２２４ａ、２２４ｂとを有し、長辺部２２２ａの両側の端部で、短辺部２２４ａ、２２４ｂの一方の端部が接続し、長辺部２２２ｂの両側の端部で、短辺部２２４ａ、２２４ｂの他方の端部が接続している。一対の長辺部２２２ａと長辺部２２２ｂとは互いに平行に設けられ、短辺部２２４ａと短辺部２２４ｂとは互いに平行に設けられている。
【００９６】
フレーム２２０を構成する長辺部２２２ａ、２２２ｂと短辺部２２４ａ、２２４ｂとは長さが異なる以外は同一の構成であるので、長辺部２２２ａを例にとって説明する。
【００９７】
すなわち、長辺部２２２ａは、支持部２３０と、支持部２３０の支持部本体２３１の下面の外側の端部近傍から下方に突出して形成された金具係止部２３４とを有している。
【００９８】
ここで、支持部２３０は、モジュール本体２１２を支持するものであり、略帯板状の支持部本体２３１と、支持部本体２３１の外側の端部から上方に突出して形成された断面略鉤状（断面略Ｌ字状としてもよい）の係止部２３２と、支持部本体２３１の外側の端部側部分の下端及び金具係止部２３４の外側の面から突出した突出部２３３とを有している。
【００９９】
支持部本体２３１は板状を呈し、その内側の端部は、モジュール本体２１２を支持部２３０に取付けしやすいように下方に湾曲している。つまり、支持部本体２３１の内側の端部には、湾曲部２３１ａが設けられている。
【０１００】
係止部２３２は、支持部本体２３１の端部から支持部本体２３１に対して直角に立設した板状の側面部（側板部としてもよい）２３２ａと、側面部２３２ａの上端から内側に形成され、支持部本体２３１と平行に形成された板状の上面部（上板部としてもよい）２３２ｂとを有し、側面部２３２ａと上面部２３２ｂはともに帯状に形成されている。つまり、支持部２３０は、係止部２３２と支持部本体２３１とにより断面略コ字状に形成されている。モジュール本体２１２の端部は、支持部２３０の該断面略コ字状部分に支持される。つまり、モジュール本体２１２の外周側の端部が支持部本体２３１と側面部２３２ａと上面部２３２ｂとで囲まれた空間に支持されている。なお、支持部本体２３１とモジュール本体２１２間及び係止部２３２とモジュール本体２１２間には、防水及び接着用の樹脂層２４０が設けられている。
【０１０１】
また、突出部２３３は、支持部本体２３１の外側の端部側部分の下端及び金具係止部２３４の外側の面から突出して形成されている。すなわち、突出部２３３は、第１突出部２３３ａと、第２突出部２３３ｂとを有している。
【０１０２】
第１突出部２３３ａは、係止部２３２の側面部２３２ａの下端から下方に連設され、側面部２３２ａとともに帯板状を呈しており、突出部２３３の下端は、金具係止部２３４の下端よりも上方に位置している。また、第２突出部２３３ｂは、金具係止部２３４の板状部２３４ａ−１の外側の面から外側に突出している。突出部２３３において、第１突出部２３３ａと第２突出部２３３ｂ間には、溝部２３３ｃが形成されており、この溝部２３３ｃの奥部２３３ｃ−１は、断面略円弧状に形成されている。この奥部２３３ｃ−１が設けられていることにより、奥部２３３ｃ−１に太陽電池モジュール２０１のアース線を把持させることができる。また、フレーム２２０の角部の位置で他の部材をビス止めする場合に、奥部２３３ｃ−１にビスを螺着させることができる。
【０１０３】
また、金具係止部２３４は、支持部２３０（具体的には、支持部本体２３１）の下面の外側の端部領域から下方に突出して形成され、断面略コ字状（厳密には、略コ字状を９０度回転した断面形状）の係止部本体２３４ａと、係止部本体２３４ａの内側の面２３４ａ−２−１の下端から横方向（モジュール本体２１２の底面に沿った方向）に内側に突出した爪部２３４ｂとを有している。
【０１０４】
係止部本体２３４ａは、支持部本体２３１に対して直角で互いに平行な一対の板状部２３４ａ−１、２３４ａ−２と、該一対の板状部の下端の間に設けられ、支持部本体２３１に対して平行な板状部２３４ａ−３とにより形成され、支持部本体２３１における互いに平行な一対の板状部２３４ａ−１、２３４ａ−２が連設された部分とともに、全体に略四角筒状に形成される。板状部２３４ａ−２の板状部２３４ａ−１側とは反対側の面（係止部本体２３４ａの内側を構成する面である内側構成面）２３４ａ−２−１は、モジュール本体２１２の底面に対して直角をなしている。なお、板状部２３４ａ−１の外側の面は、溝部２３８の開口位置で外側に突出して形成されている。
【０１０５】
係止部２３２の外側の面（側方の外側の面）（側面部２３２ａの外側の面）と突出部２３３の外側の面は、係止部本体２３４ａの外側の面（側方の外側の面）（板状部２３４ａ−１の外側の面）よりも横方向において（屋根面への取付け状態では流れ方向において）外側に位置し、これにより、支持部２３０は金具係止部２３４よりも側方（横方向）に突出して形成され、金具係止部２３４は支持部２３０よりも横方向に引っ込んだ位置に形成されている。つまり、図１０に示すように、金具係止部２３４における横方向における外側の端部（つまり、板状部２３４ａ−１の外側の端部）は、支持部２３０における側面部２３２ａの外側の面に対して長さＬ６分引っ込んで形成されている。
【０１０６】
このように、支持部２３０は金具係止部２３４よりも側方（横方向）に突出して形成され、また、突出部２３３の下端は、金具係止部２３４の下端よりも上方に位置しているので、これにより、図１０に示すように、突出部２３３の下方で、金具係止部２３４の側方の外側には、空間Ｓ１が形成される。つまり、側面部２３２ａの外側の面から下方に伸ばした延長面（仮想の延長面）と、係止部本体２３４ａの底面を外側に延長した延長面（仮想上の延長面）と、突出部２３３の外側の面を除く面（下面と内側の面）と、係止部本体２３４ａの外側の面と、支持部本体２３１の底面で突出部２３３の内側の面と係止部本体２３４ａの外側の面の間の位置の底面とで囲まれた切欠き状の空間Ｓ１が形成される。この空間Ｓ１は、図１０に示すように、断面略四角形状（略台形形状）を呈している。
【０１０７】
つまり、金具係止部２３４におけるモジュール本体２１２の底面に沿った方向である横方向における外側の端部（つまり、板状部２３４ａ−１の外側（板状部２３４ａ−２側とは反対側）の端部）が、支持部２３０における側面部２３２ａの外側の面よりも横方向に内側に位置していて、支持部２３０の外側の端部側部分における下方で金具係止部の外側に空間（Ｓ１）が形成されている。
【０１０８】
このように、金具係止部２３４は支持部２３０よりも横方向に引っ込んだ位置に形成され、空間Ｓ１が設けられていることにより、軒側に隣接する太陽電池モジュール２０１を取り付ける際に、斜め上方から太陽電池モジュール２０１を棟側の太陽電池モジュール２０１と軒側の連結金具１０１間に挿入する際に、棟側の太陽電池モジュール２０１の金具係止部２３４が支障となることがない。
【０１０９】
また、爪部２３４ｂは、係止部本体２３４ａの内側の面２３４ａ−２−１に対して鋭角である角度γをなす第１面部２３４ｂ−１（爪部２３４ｂにおける上側の面）と、該第１面部２３４ｂ−１の端部から連設され、係止部本体２３４ａの内側の面と略平行な第２面部２３４ｂ−２と、第２面部２３４ｂ−２の第１面部２３４ｂ−１側とは反対側の端部から連設され、係止部本体２３４ａと連設された第３面部２３４ｂ−３とを有した構成となっている。
【０１１０】
なお、一対の長辺部２２２ａ、２２２ｂにおいて、金具係止部２３４の係止部本体２３４ａの内側の面の間の長さＬ１（図９参照）は、連結金具１０１における前後方向（長手方向）の最大長さ（正面側の端部と背面側の端部間の長さ）Ｌ１１（図６参照）よりも長く形成され、これにより、一対の長辺部２２２ａ、２２２ｂ間に連結金具１０１を配置でき、また、金具係止部２３４の爪部２３４ｂの内側の端部間の間の長さＬ２（図９参照）は、連結金具１０１における係止部１４４の正面側の端部と係止部１５４の背面側の端部間の長さ（連結金具１０１における前後方向の最大長さＬ１１と略同一である）よりも短く形成されていて、これにより、長辺部２２２ａの爪部２３４ｂを係止部１４４に係止させるとともに、長辺部２２２ｂの爪部２３４ｂを係止部１５４に係止させることができる。
【０１１１】
また、支持部本体２３１の下面２３１−１（連結金具１０１を取り付けた状態において、支持部本体２３１における連結金具１０１の受け板部１２６、１３６に当接する部分の下面（支持部本体２３１の湾曲部２３１ａと金具係止部２３４間の部分の下面））と金具係止部２３４の下端の上下方向（支持部本体２３１の下面に対する鉛直方向、モジュール本体２１２の下面に対する鉛直方向としてもよい）の長さＬ３（すなわち、太陽電池モジュール２０１を水平面に載置した場合の支持部本体２３１の下面と金具係止部２３４の下端の上下方向の長さ）は、連結金具１０１の正面側の上下方向の長さ（すなわち、側板部１２１の正面側の端部の上下方向の長さｈ１）よりも短く形成され、これにより、太陽電池モジュール２０１を連結金具１０１に取り付けた状態において、太陽電池モジュール２０１の軒側の金具係止部２３４の下端は連結金具１０１の正面側の下端よりも上方にあり、太陽電池モジュール２０１の軒側の金具係止部２３４の下端と連結金具１０１の正面側の下端の間に間隔Ｍが形成される（図１６参照）。
【０１１２】
このように、金具係止部２３４の下端と連結金具１０１の正面側の下端の間に間隔Ｍが形成され、金具係止部２３４の外側の面（側方の外側の面）（板状部２３４ａ−１の外側の面）は、連結金具１０１の側壁部１４０よりも横方向において（屋根面への取付け状態では流れ方向において）外側に位置しているので、金具係止部２３４の下方で連結金具１０１の側方の外側には、空間Ｓ２が形成される。
【０１１３】
また、太陽電池モジュール２０１ｂが屋根面に施工された屋根瓦１ｄに取り付けられた連結金具１０１ｂに取り付けられていて、屋根瓦１ｄの軒側に隣接する屋根瓦１ａに連結金具１０１ａが取り付けられた状態で、太陽電池モジュール２０１ｂ及び連結金具１０１ｂと連結金具１０１ａとの間に、太陽電池モジュール２０１ａの棟側の端部を挿脱するための隙間及び太陽電池モジュール２０１ａの棟側の端部を配置する空間が形成されている。すなわち、側壁部１２０側から見た側面視において（流れ方向に対して直角の方向で屋根面に対して平行な方向から見た場合において）、図１１に示すように、係止部本体２３４ａの下端における外側の角部（つまり、係止部本体２３４ａの下端における外側の端部）Ｕ１と連結金具１０１ａ間の間隔Ｎが、太陽電池モジュール２０１ｂにおけるフレーム２２０の厚み方向の長さ（最大長さ）Ｌ４よりも大きく形成されている。ここで、間隔Ｎは、角部Ｕ１と連結金具１０１ａとの最短距離を結ぶ直線（第１直線）Ｗ１の長さであり、該直線Ｗ１の連結金具１０１ａ側の端部Ｕ４は、連結金具１０１ａにおける先端板部１５２ｃの外側の面に位置する。間隔Ｎが長さＬ４よりも大きく形成されているので、太陽電池モジュール２０１ａを間隔Ｎの隙間に挿脱することができる。なお、当然、モジュール本体２１２の厚み方向の長さは、フレーム２２０の厚み方向の長さＬ４よりも小さく形成され、支持部２３０における断面略コ字状部分の厚みＬ７（上面部２３２ｂの上端と支持部本体２３１の下面２３１−１間の上下方向の長さ）よりも小さく形成されている。
【０１１４】
また、側面視において、角部Ｕ１と突出部２３３の先端の外側の角部Ｕ２とを結ぶ直線Ｗ２に対して、連結金具１０１ｂの下端の軒側の角部Ｕ３は棟側（つまり、内側）に位置する。
【０１１５】
以上のように、間隔Ｎが長さＬ４よりも大きいので、太陽電池モジュール２０１ｂのフレーム２２０の長辺部２２２ａと連結金具１０１ａとの間に、太陽電池モジュール２０１ａの棟側の端部を挿脱するための隙間が形成され、直線Ｗ２の方向から連結金具１０１ａと太陽電池モジュール２０１ｂの隙間に、太陽電池モジュール２０１ａを図１７に示すように斜め上方から挿入するとともに、該隙間から太陽電池モジュール２０１ａを抜き出すことができる。
【０１１６】
なお、突出部２３３の下端は、金具係止部２３４の下端よりも上方に位置していて、空間Ｓ１が形成されているので、太陽電池モジュール２０１を隙間に挿入する際及び該隙間から抜き出す際に、突出部２３３が支障となることがなく（つまり、突出部２３３が邪魔になることがなく）、また、太陽電池モジュール２０１の軒側の金具係止部２３４の下端は連結金具１０１の正面側の下端よりも上方にあり、空間Ｓ２が形成されているので、太陽電池モジュール２０１を隙間に挿入する際及び該隙間から抜き出す際に金具係止部２３４が支障となることがない（つまり、金具係止部２３４が邪魔になることがない）。
【０１１７】
また、側面視において、角部Ｕ１と突出部２３３の先端の外側の角部Ｕ２とを結ぶ直線Ｗ２に対して、連結金具１０１ｂの下端の軒側の角部Ｕ３は棟側に位置するので、太陽電池モジュール２０１ａを取り付ける際に、斜め上方から太陽電池モジュール２０１ａを棟側の太陽電池モジュール２０１ｂと軒側の連結金具１０１ｂ間に挿脱する際に、棟側の連結金具１０１ｂが支障となることがない。
【０１１８】
なお、側面視において、角部Ｕ２と角部Ｕ３とは、角部Ｕ１から直線Ｗ１に対する直角をなす直線（第３直線）Ｗ３（図１１の例では、直線Ｗ３は直線Ｗ２と同一となっている）よりも棟側に位置するようにするのが好ましい。このようにすることにより、フレーム２２０の厚み方向の長さＬ４をなるべく間隔Ｎの長さに近づけることとができ、結果的に、間隔Ｎをなるべく小さくして太陽電池モジュールの設置スペースの効率化を図ることができる。
【０１１９】
また、上記のように、太陽電池モジュール２０１ｂのフレーム２２０の長辺部２２２ａと連結金具１０１ａとの間及び連結金具１０１ｂと連結金具１０１ａとの間に、太陽電池モジュール２０１ａの棟側の端部を挿脱するための隙間が形成されるとともに、棟側の太陽電池モジュール２０１ｂ、連結金具１０１ｂ及び屋根瓦１ｄと、軒側の連結金具１０１ａとの間に、太陽電池モジュール２０１ａの棟側の端部を配置する空間が形成される。特に、棟側の屋根瓦１ｄの頭部側の端部が連結金具１０１ｂの軒側の端部と流れ方向において略同一の位置にある（厳密には、棟側の屋根瓦１ｄの頭部側の端部が、連結金具１０１ｂの軒側の端部に対して流れ方向に棟側の位置にある）ので、その点でも、棟側の太陽電池モジュール２０１ｂ、連結金具１０１ｂ及び屋根瓦１ｄと、軒側の連結金具１０１ａとの間に、太陽電池モジュール２０１ａの棟側の端部を配置する空間が確保できる。
【０１２０】
また、空間Ｓ２が設けられているので、太陽電池モジュール２０１ａの軒側を下方に回動させる際に、太陽電池モジュール２０１ａの棟側の端部を配置するための空間を十分設けることができ、金具係止部２３４が支障となることがない。
【０１２１】
長辺部２２２ａと長辺部２２２ｂとは前後対称である以外は同一の構成であり、短辺部２２４ａと短辺部２２４ｂとは左右対称である以外は同一の構成である。
【０１２２】
なお、上記の説明において、直線Ｗ１、Ｗ２、Ｗ３は、仮想的な平面としてとらえてもよい。
【０１２３】
上記構成の取付け構造体Ｐの施工方法について、図１２〜図２０を使用して説明する。まず、屋根瓦１を屋根面に施工していく。ここで、屋根面には、下地材である野地板３００の上面に複数の桟木３１０が固定されている。つまり、桟木３１０は、桁方向に設けられ、流れ方向に間隔を介して設けられている。なお、桟木３１０の構成を省略して、野地板３００に直接屋根瓦１を施工してもよい。
【０１２４】
屋根瓦１の釘孔６０ａ、６０ｂに釘を挿通して、桟木３１０ａに打ち付けて任意の屋根瓦１ａ（図１２参照）を施工したとする。その後、屋根瓦１ａの左側に隣接して施工する屋根瓦１ｂの桟部４０を屋根瓦１ａの差込み部３０に被せて、屋根瓦１ｂの釘孔６０ａ、６０ｂに釘を挿通して、桟木３１０ａに打ち付けて屋根瓦１ｂを施工する。以上の工程を繰り返して、屋根瓦１を桁方向に施工していく。なお、上記の説明では、施工した屋根瓦の左隣りに屋根瓦を順次施工していくとしたが、逆方向に施工してもよく、施工した屋根瓦１の右側に施工する屋根瓦１の差込み部３０をすでに施工した屋根瓦１の桟部４０に差し込むようにして順次屋根瓦を施工してもよい。
【０１２５】
次に、施工された屋根瓦１の尻部側に施工する屋根瓦１を施工する際には、屋根瓦１の差込み部３０の被係止部３６に係止突起５８を係止させて施工していく。例えば、図１２における屋根瓦１ｃを施工する際には、斜め左下に位置する屋根瓦１ａの係止突起５８に被係止部３６を係止させて、桟木３１０ｂに釘孔６０ａ、６０ｂに挿通した釘を打ち込んで施工する。その後、屋根瓦１ｃの左側に隣接して屋根瓦１ｄを施工する。すなわち、屋根瓦１ｄの被係止部３６を斜め左下に位置する屋根瓦１ｂの係止突起５８に係止させるとともに、屋根瓦１ｄの桟部４０を屋根瓦１ｃの差込み部３０に被せた状態として、屋根瓦１ｄの釘孔６０ａ、６０ｂに釘を挿通し、桟木３１０ｂに釘を打ち付けて施工する。以上の工程を繰り返して、屋根瓦１ｃの桁方向に屋根瓦を施工していく。なお、上記と同様に、施工した屋根瓦の右隣りに屋根瓦を施工してもよい。
【０１２６】
以上のようにして、桁方向の屋根瓦１の施工を流れ方向で軒側（図１２におけるＲ１側）から順次棟側（図１２におけるＲ２側）に行って、図１２に示すように屋根瓦１を施工する。
【０１２７】
次に、屋根面に施工した各屋根瓦１に連結金具１０１を取り付ける。すなわち、連結金具１０１の正面側を屋根瓦１の頭部１４側として、係止突起１６を連結金具１０１の開口部１１２ａに挿通するとともに、舌片状弾性部１１４の先端部１１４ｂと舌片状弾性部１１６の先端部１１６ｂが屋根瓦１の上面に接した状態で、連結金具１０１を屋根瓦１側に押圧して、底板部１１１が突設部１８の上面部１８ａと突設部２０の上面部２０ａに接した状態とすることにより、舌片状弾性部１１４、１１６が上方に回動して、図１３（ａ）に示す状態となる。すなわち、舌片状弾性部１１４が開口部１１２ｂから上方に突出した状態となり、舌片状弾性部１１６が開口部１１２ｃから上方に突出した状態となる。この状態では、先端部１１４ｂは、溝部１８ｆの背面側にあり、先端部１１６ｂは、溝部２０ｆの背面側にある。
【０１２８】
その後、連結金具１０１を屋根瓦１の頭部側にスライドさせることにより、開口部１１２ａの背面側の縁部１１３が係止突起１６の切欠部１６ｆ内に入り込んで、図１３（ｂ）に示す状態となる。
【０１２９】
その後、さらに、連結金具１０１を屋根瓦１の頭部側にスライドさせることにより、舌片状弾性部１１４の先端部１１４ｂが溝部１８ｆに嵌合するとともに、舌片状弾性部１１６の先端部１１６ｂが溝部２０ｆに嵌合して、図１３（ｃ）に示す状態となる。
【０１３０】
なお、先端部１１４ｂが溝部１８ｆに嵌合し、先端部１１６ｂが溝部２０ｆに嵌合した状態では、開口部１１２ａの背面側の縁部１１３は、切欠部１６ｆの奥部（正面側の端部）に位置し、底板部１１１は、係止突起１６に係止する。以上のようにして、連結金具１０１が屋根瓦１に係止・固定することにより、屋根瓦１に取り付けられる。ここで、「係止・固定」とは、図１３（ｂ）に示すように、連結金具１０１の縁部１１３が係止突起１６に係止されてから、先端部１１４ｂが溝部１８ｆに嵌合するとともに、先端部１１６ｂが溝部２０ｆに嵌合することにより、連結金具１０１が屋根瓦１に固定されることを意味している。連結金具１０１を屋根瓦１に取り付けた状態では、図１４〜図１６に示す状態となる。
【０１３１】
なお、連結金具１０１を屋根瓦１に取り付けた状態では、図１３（ｃ）に示すように、連結金具１０１の正面側（軒側）の端部と屋根瓦１の正面側（軒側）の端部とは、流れ方向において略同一の位置となる。
【０１３２】
連結金具１０１の取付けに際しては、１つの太陽電池モジュール２０１に対して２つの連結金具１０１を取り付けるように、所定の屋根瓦１に取り付けてもよいが、太陽電池モジュール２０１と係合する連結金具１０１を多くして確実に屋根面に施工するために、全ての屋根瓦１に連結金具１０１を取り付けるのが好ましい。
【０１３３】
次に、屋根瓦１に取り付けられた連結金具１０１に太陽電池モジュール２０１を取り付ける。なお、太陽電池モジュール２０１においては、長辺部２２２ａと長辺部２２２ｂのいずれを軒側としてもよいが、長辺部２２２ａ側を軒側とし、長辺部２２２ｂを棟側として取り付けるものとする。また、図１７、図１８において、取付け対象の太陽電池モジュールを太陽電池モジュール２０１ａとし、取付け対象の太陽電池モジュール２０１ａの棟側に設置されている太陽電池モジュールを太陽電池モジュール２０１ｂとし、太陽電池モジュール２０１ａを取り付ける連結金具を連結金具１０１ａとし、太陽電池モジュール２０１ｂが取り付けられた連結金具を連結金具１０１ｂとする。
【０１３４】
まず、太陽電池モジュール２０１ａを本来の太陽電池モジュール２０１ａの設置方向に対して軒側（長辺部２２２ａ側）を棟側（長辺部２２２ｂ側）に対して上方に持ち上げた状態として、太陽電池モジュール２０１ａの棟側を連結金具１０１ａ（太陽電池モジュール２０１を取り付ける連結金具）と棟側に隣接して設けられた太陽電池モジュール２０１ｂ間の隙間に斜め上方から挿入して、図１７に示す状態とする。なお、屋根面は傾斜しているので、施工者が取付け対象の太陽電池モジュールの棟側に立って作業することは困難であり、取付け対象の太陽電池モジュールの軒側に立って作業することになる。
【０１３５】
その後、太陽電池モジュール２０１ａの軒側を下方に回動させるとともに、軒側に若干スライドさせることにより、図１８（ａ）に示すように、長辺部２２２ｂの金具係止部２３４の爪部２３４ｂを連結金具１０１ａの係止部１５４に係止させる。なお、長辺部２２２ｂの金具係止部２３４の爪部２３４ｂを連結金具１０１ａの係止部１５４に係止させたら、その状態で、他の配線コードのコネクタ（例えば、隣接する太陽電池モジュール２０１の配線コード２１６のコネクタ２１６ａ）と接続しておく。
【０１３６】
その後、図１８（ｂ）に示すように、太陽電池モジュール２０１ａの軒側をさらに下方に回動させる。つまり、爪部２３４ｂと係止部１５４の係合箇所を中心として、太陽電池モジュール２０１ａを下方に回動させる。なお、屋根瓦１や連結金具１０１ａは屋根面において傾斜しているので、太陽電池モジュール２０１ａを下方に回動させていくと、太陽電池モジュール２０１ａも軒側に傾斜した状態となり、太陽電池モジュール２０１ａの自重により係止部１５４と爪部２３４ｂの係合は強固となる。
【０１３７】
その後、図１８（ｃ）に示すように、長辺部２２２ａの金具係止部２３４の爪部２３４ｂが側壁部１４０の先端板部１４２ｃに接するので、太陽電池モジュール２０１ａの軒側を下方に押し込んでいくと、爪部２３４ｂは先端板部１４２ｃの外側の面に案内されて、下方にスライドしていく。
【０１３８】
その後、長辺部２２２ａの金具係止部２３４の爪部２３４ｂが係止部１４４に係合し、図１８（ｄ）の状態となる。
【０１３９】
以上のようにして、太陽電池モジュール２０１を連結金具１０１に係止・固定することにより、連結金具１０１に取り付けられ、太陽電池モジュール２０１が連結金具１０１に支持される。ここで、「係止・固定」とは、図１８（ａ）に示すように、長辺部２２２ｂの爪部２３４ｂが係止部１５４に係止されてから、長辺部２２２ａの爪部２３４ｂが係止部１４４に係止することにより、太陽電池モジュール２０１が連結金具１０１に固定されることを意味している。太陽電池モジュール２０１を連結金具１０１に取り付けた状態では、図１８（ｄ）、図１９、図２０に示す状態となる。
【０１４０】
なお、図１５、図１６では、屋根瓦１ａ及び連結金具１０１ａは、屋根瓦１ｂ及び連結金具１０１ｂに対して、実際には図１６に示すように桁方向（軒側から見て右方向）にずれて設けられていて、図１７〜図１９において、屋根瓦１ａ及び連結金具１０１ａについての切断線と、屋根瓦１ｂ及び連結金具１０１ｂについての切断線とは桁方向にずれている。つまり、図１８、図１９は、図２０におけるＣ−Ｃ断面図であり、図１７は、Ｃ−Ｃ断面における要部断面図である。
【０１４１】
太陽電池モジュール２０１は、棟側に設置する太陽電池モジュール２０１を取り付けたら順次軒側の太陽電池モジュール２０１を取り付けていき、棟側の２列の太陽電池モジュール２０１と該２列の太陽電池モジュール２０１の軒側に隣接する１つの太陽電池モジュール２０１を施工した状態は、図２０に示す状態となる。
【０１４２】
以上のように、太陽電池モジュール２０１を棟側に太陽電池モジュール２０１が隣接して施工されている状態で連結金具１０１に取り付けることができるので、太陽電池モジュール２０１を棟側から順次施工することができ、施工者が取付け対象の太陽電池モジュールの軒側に立って作業をする場合でも、施工者が太陽電池モジュール２０１を脚で踏んでしまうことがない。つまり、太陽電池モジュール２０１を軒側から施工しなければならない場合には、施工者がすでに施工されている太陽電池モジュール２０１の上に乗った状態で施工する必要があるが、本実施例の場合には、太陽電池モジュール２０１の上に乗って施工する必要はない。
【０１４３】
また、係止部１４４の下端部１４４ａと係止部１５４の下端部１５４ａとは、基端側から先端側にいくほど下方となるように形成され、側面視において、底板部１１１の上面の方向（水平方向）に対して鋭角（角度β３、β１３）をなし、さらに、太陽電池モジュール２０１の爪部２３４ｂにおいて、第１面部２３４ｂ−１が係止部本体２３４ａの内側の面に対して鋭角（角度γ）をなすので、係止部１４４、１５４と、爪部２３４ｂの係合を確実なものとすることができる。なお、第１面部２３４ｂ−１が係止部本体２３４ａの内側の面に対してなす角度γは、直角であってもよく、その場合も、角度β３、β１３が鋭角をなすので、係止部１４４、１５４と、爪部２３４ｂの係合を確実なものとすることができる。
【０１４４】
なお、連結金具１０１に取り付けられた太陽電池モジュール２０１を取り外すには、図２１に示す治具３０１を用いる。
【０１４５】
すなわち、治具３０１は、１枚の金属製の板状部材により形成され、細長長方形状の把手部３１０と、把手部３１０の先端に連設された先端部３２０とを有し、先端部３２０は、把手部３１０よりも幅広に形成されている。つまり、先端部３２０の右側面側の辺部は、把手部３１０の右側面側の辺部と連続した直線状をなし、先端部３２０の左側面側が把手部３１０よりも左側面側に突出している。
【０１４６】
先端部３２０は、略方形状を呈し、左側面側の辺部から切欠部３３０が形成されている。この切欠部３３０は、略方形状を呈していて、互いに平行な直線状の辺部３３０ａ、３３０ｄと、辺部３３０ｄに対して直角に形成された直線状の辺部３３０ｃと、辺部３３０ａに対して１８０度より大きい角度ｔをなし、辺部３３０ｃに対して鋭角をなす辺部３３０ｂとを有した形状となっている。つまり、先端部３２０は、把手部３１０の先端側に連設された略長方形状の基端部３４０の一方の辺部に間隔を介して２つの突状部３４２、３４４を形成したものであり、基端部３４０と突状部３４２、３４４とで囲まれた切欠部３３０が形成されている。
【０１４７】
つまり、突状部（第１突状部）３４４は、辺部３３０ｂと、辺部３３０ａと、辺部３３０ｃに略平行な直線状の辺部３４４ａと、辺部３４４ａに対して斜めに傾斜した直線状の辺部３４４ｂと、辺部３３０ａに略平行な直線状の辺部３４４ｃにより三方を囲まれた形状を呈している。つまり、突状部３４４の先端の外側の角部には傾斜した辺部３４４ｂが形成され、突状部３４２を連結金具１０１の凹部１２１−２内に配置しやすいように、角部を面取りした形状となっている。
【０１４８】
なお、突状部（第２突状部）３４２は、辺部３３０ｄと、辺部３３０ｃと略平行な直線状の辺部３４２ａと、略円弧状の辺部３４２ｂと、辺部３３０ｄと略平行な直線状の辺部３４２ｃとにより三方を囲まれた形状を呈している。
【０１４９】
この治具３０１は、細長長方形状の板状部材の長手方向の一方の辺部に２つの突状部３４２、３４４を間隔を介して形成した構成ともいえ、２つの突状部３４２、３４４間に切欠部３３０が形成されている。
【０１５０】
なお、先端部３２０においては、基端部３４０は、辺部３３０ｄの延長線上の折れ線３５０を介して僅かに屈曲して形成され、折れ線３５０よりも先端側の部分が斜め上方となるように屈曲している。つまり、先端部３２０は、折れ線３５０を介して先端側が第１領域３２０−１となり、基端側が第２領域３２０−２となる。つまり、第１領域３２０−１は、基端部３４０の先端側の領域と突状部３４４とから構成され、第２領域３２０−２は、基端部３４０の後端側の領域と突状部３４２とから構成されている。これは、図１９に示すように、太陽電池モジュール２０１ａ、２０１ｂが流れ方向に隣接して設けられ、太陽電池モジュール２０１ｂを取外し対象の太陽電池モジュールとした場合に、取外し対象の太陽電池モジュール２０１ｂの軒側の長辺部２２２ａの金具係止部２３４の下端と、軒側に隣接する太陽電池モジュール２０１ａの棟側の長辺部２２２ｂとの上端とは、流れ方向に直角な方向である高さ方向に略同一の位置となるため、折れ線３５０の位置で屈曲させることにより、治具３０１の操作が容易となる。すなわち、凹部１２１−２内に突状部３４４を配置する場合にも、第１領域３２０−１を太陽電池モジュール２０１ａと太陽電池モジュール２０１ｂの隙間から挿入するのが容易となり、治具３０１を図２２に示すように連結金具１０１に係合させた状態で、第１領域３２０−１を流れ方向に平行にすると、折れ線３５０よりも基端側の部分である第２領域３２０−２が流れ方向に対して傾斜する（つまり、第２領域３２０−２の基端側が上方となるように傾斜する）ので、第２領域３２０−２を太陽電池モジュール２１０ａと太陽電池モジュール２０１ｂの隙間から太陽電池モジュール２０１ａの上方に導くことができ、把持部３１０を把持した状態で治具３０１を操作することが可能となる。
【０１５１】
この切欠部３３０は、突状部３４４を連結金具１０１の凹部１２１−２内に横向きに配置し、切欠部３３０の辺部３３０ｂを連結金具１０１の側板部１２１の辺部１２１ｃに接した状態で、辺部３３０ｂと辺部１２１ｃの接触位置を中心として、治具３０１の基端側を平面視で右回転させる（つまり、左側に回動させる）ことにより、突状部３４２の内側の角部３４２−１が側板部１４２に接するようになっている。
【０１５２】
上記構成の治具３０１により連結金具１０１の係止部１４４と太陽電池モジュール２０１の爪部２３４ｂの係合を解除する際には、図２２に示すように、突状部３４４を連結金具１０１の凹部１２１−２内に横向きに配置する。その際、傾斜板部１２４が正面側に向けて下方に傾斜して形成されているので、突状部３４４を帯状部１２２の上面から傾斜板部１２４の上面に沿って摺動させることにより突状部３４４を凹部１２１−２内に容易に配置することができる。また、治具３０１が折れ線３５０を介して屈曲しているので、隣接する太陽電池モジュール２０１の隙間から第１領域３２０−１を挿入して、突状部３４４を凹部１２１−２内に配置することができる。
【０１５３】
突状部３４４を凹部１２１−２内に配置したら、切欠部３３０の辺部３３０ｂを連結金具１０１の側板部１２１の辺部１２１ｃに接した状態とし、辺部３３０ｂと辺部１２１ｃの接触位置を中心として、治具３０１の基端側を平面視で右回転させる（つまり、左側に回動させる）ことにより、突状部３４２の内側の角部３４２−１が側板部１４２に接するようにする。その後、角部３４２−１が側板部１４２に接した状態で、さらに把手部３１０を左側に回動させることにより、側板部１４２が背面側に押されて、係止部１４４と太陽電池モジュール２０１の爪部２３４ｂの係合を解除することができる。なお、図２２は、説明を容易とするために、太陽電池モジュール２０１を省略して描いており、実際には、当然、太陽電池モジュール２０１が連結金具１０１に取り付けられた状態で、治具３０１による上記操作を行なう。
【０１５４】
なお、治具３０１を左右対称の構成として、辺部３３０ｂを連結金具１０１の側壁部１３０における辺部（縦方向辺部）１３１ｃに接した状態として左回転することにより係止部１４４と爪部２３４ｂの係合を解除してもよい。すなわち、突状部３４４を連結金具１０１の凹部（治具配置用切欠部）１３１−２（側壁部１３０における凹部１２１−２に対応する凹部）内に横向きに配置し、切欠部３３０の辺部３３０ｂを連結金具１０１の側板部１３１の辺部１３１ｃ（側壁部１３０における辺部１２１ｃに対応する辺部）に接した状態で、辺部３３０ｂと辺部１３１ｃの接触位置を中心として、治具３０１の基端側を平面視で左回転させる（つまり、右側に回動させる）ことにより、突状部３４２の内側の角部３４２−１が側板部１４２に接し、さらに把手部３１０を右側に回動させることにより、側板部１４２が背面側に押されて、係止部１４４と太陽電池モジュール２０１の爪部２３４ｂの係合を解除することができる。
【０１５５】
よって、図１８（ｄ）に示す状態において、太陽電池モジュール２０１ａを連結金具１０１ａから取り外すには、治具３０１を使用して、太陽電池モジュール２０１ａの軒側の爪部２３４ｂと連結金具１０１ａの係止部１４４との係合を解除し、その後は、太陽電池モジュール２０１ａの取付け時と逆の手順で取り外せばよい。すなわち、爪部２３４ｂと係止部１４４の係合を解除したら、図１８（ｃ）、（ｂ）、（ａ）の順に示すように、太陽電池モジュール２０１ａの軒側を上方に回動させ、図１７に示す状態になったら、太陽電池モジュール２０１ａを斜め上方に引き出すことにより、棟側の隣接する太陽電池モジュールがある場合でも、容易に太陽電池モジュールを取り外すことができる。
【０１５６】
なお、上記連結金具１０１と治具３０１とにより、太陽電池モジュール設置用連結金具セットが構成される。
【０１５７】
上記取付け構造体Ｐにおける太陽電池モジュール２０１と連結金具１０１によれば、金具係止部２３４は支持部２３０よりも横方向に引っ込んだ位置に形成されることにより、空間Ｓ１が形成されるので、太陽電池モジュール２０１ａを取り付ける際に、斜め上方から太陽電池モジュール２０１ａを棟側の太陽電池モジュール２０１ｂと軒側の連結金具１０１ａ間に挿脱する際に、金具係止部２３４が支障となることがない。
【０１５８】
さらに、金具係止部２３４の下端と連結金具１０１の正面側の下端の間に間隔Ｍが形成されることにより、空間Ｓ２が形成され、側面視において、角部Ｕ３が直線Ｗ２よりも内側にあるので、太陽電池モジュール２０１ｂ及び連結金具１０１ｂと軒側の連結金具１０１ａとの間に、太陽電池モジュール２０１ａの棟側の端部を挿脱する隙間と太陽電池モジュール２０１ａの棟側の端部を配置する空間を形成することができ、また、空間Ｓ２が設けられていて、太陽電池モジュール２０１ａの回動にも支障となることがないので、傾斜した屋根に施工された屋根瓦に取り付けられた連結金具に取り付ける太陽電池モジュールにおいて、軒側に隣接する太陽電池モジュールがある場合でも、連結金具との取外しが容易であり、また、傾斜した屋根への施工に際して、棟側から軒側に向けて順次施工することができる。
【０１５９】
また、治具３０１によれば、太陽電池モジュール２０１を連結金具１０１から容易に取り外すことが可能となる。
【０１６０】
また、連結金具１０１には、治具３０１の突状部３４４を凹部１２１−２に案内するための傾斜板部１２４が設けられているので、突状部３４４を容易に凹部１２１−２に配置することができる。
【０１６１】
なお、太陽電池モジュール２０１のフレーム２２０の係止部２３２において、図２３に示すように、突出部２３３の構成を省略した構成としてもよい。つまり、その場合には、支持部２３０は、略帯板状の支持部本体２３１と、支持部本体２３１の外側の端部から上方に突出して形成された断面略鉤状（断面略Ｌ字状としてもよい）の係止部２３２とから構成され、板状部２３４ａ−１の外側の面からも突出しない構成となる。
【０１６２】
図２３に示す構成においても、金具係止部２３４におけるモジュール本体２１２の底面に沿った方向である横方向における外側の端部（つまり、板状部２３４ａ−１の外側の端部）が、支持部２３０における側面部２３２ａの外側の面よりも横方向に内側に位置していて、支持部２３０の外側の端部側部分における下方で金具係止部２３４の外側に空間（Ｓ１）が形成される。
【０１６３】
また、図１１において、突出部２３３が省略された場合でも、側壁部１４０の縦方向の長さＬ５が、太陽電池モジュール２０１を金具係止部２３４の爪部２３４ｂにより連結金具１０１に取り付けた状態において、側壁部１４０の下端が金具係止部２３４の下端よりも下方となる長さに形成されていて、金具係止部２３４の下方で連結金具の外側に空間Ｓ２が形成され、太陽電池モジュール２０１を連結金具１０１に取り付けた状態において、側壁部１２０側から見た側面視において、金具係止部２３４の爪部２３４ｂが係合した係止部１４４が設けられた側壁部１４０と底板部１１１とがなす角部Ｕ３が、支持部２３０の外側の下端（つまり、角部Ｕ２）と金具係止部２３４の係止部本体２３４ａの下端における外側の角部Ｕ１を結ぶ直線Ｗ２よりも内側にある。
【０１６４】
また、図１１において、突出部２３３が省略された場合でも、角部Ｕ２と角部Ｕ３とは、角部Ｕ１から直線Ｗ１に対する直角をなす直線（第３直線）Ｗ３よりも棟側に位置するようにするのが好ましい。
【０１６５】
また、屋根瓦１においては、係止突起１６の背面側に切欠部１６ｆが形成されているが、係止突起１６の向きを１８０度回転させて、切欠部１６ｆを係止突起１６の正面側に設けてもよい。その場合には、係止突起１６を連結金具１０１の開口部１１２ａに挿通させた後に、連結金具１０１を尻部５０側にスライドさせて連結金具１０１を屋根瓦１に取り付けることになる。
【０１６６】
なお、図面において、Ｙ１−Ｙ２方向は、Ｘ１−Ｘ２方向に直角な方向であり、Ｚ１−Ｚ２方向は、Ｘ１−Ｘ２方向及びＹ１−Ｙ２方向に直角な方向である。
【符号の説明】
【０１６７】
１  屋根瓦
１０  本体部
１８、２０  突設部
１８ｆ、２０ｆ  溝部
１４  頭部
１６、５８  係止突起
１６ｆ  切欠部
３０  差込み部
４０  桟部
５０  尻部
１０１  連結金具
１１０  底面部
１１１  底板部
１１２ａ  開口部
１１４、１１６  舌片状弾性部
１１４ａ、１１６ａ  弾性部本体
１１４ｂ、１１６ａ  先端部
１２０、１３０、１４０、１５０  側壁部
１２１、１３１、１４２、１４４  側板部
１２１ｃ、１３１ｃ  辺部
１２１−１、１２１−２、１３１−１、１３１−２  凹部
１２２、１３２  帯板部
１２４、１３４  傾斜板部
１２６、１２８、１３６、１３８  受け板部
１４２ａ、１５２ａ  本体板部
１４２ｂ、１５２ｂ  中間板部
１４２ｃ、１５２ｃ  先端板部
１４４、１５４  係止部
１４４ａ、１５４ａ  下端部
２０１  太陽電池モジュール
２１０  主構成部
２１２  モジュール本体
２２０  フレーム
２２２ａ、２２２ｂ  長辺部
２２４ａ、２２４ｂ  短辺部
２３０  支持部
２３１  支持部本体
２３２  係止部
２３２ａ  側面部
２３２ｂ  上面部
２３４  金具係止部
２３４ａ  係止部本体
２３４ｂ  爪部
２３６  突出部
３０１  治具
３１０  把手部
３２０  先端部
３３０  切欠部
３３０ａ〜３３０ｄ  辺部
３４０  基端部
３４２、３４４  突状部
Ｓ１、Ｓ２  空間
【図１】
0005933230.tif 000002
【図２】
0005933230.tif 000003
【図３】
0005933230.tif 000004
【図４】
0005933230.tif 000005
【図５】
0005933230.tif 000006
【図６】
0005933230.tif 000007
【図７】
0005933230.tif 000008
【図８】
0005933230.tif 000009
【図９】
0005933230.tif 000010
【図１０】
0005933230.tif 000011
【図１１】
0005933230.tif 000012
【図１２】
0005933230.tif 000013
【図１３】
0005933230.tif 000014
【図１４】
0005933230.tif 000015
【図１５】
0005933230.tif 000016
【図１６】
0005933230.tif 000017
【図１７】
0005933230.tif 000018
【図１８】
0005933230.tif 000019
【図１９】
0005933230.tif 000020
【図２０】
0005933230.tif 000021
【図２１】
0005933230.tif 000022
【図２２】
0005933230.tif 000023
【図２３】
0005933230.tif 000024
【図２４】
0005933230.tif 000025
【図２５】
0005933230.tif 000026